(57)【要約】  本発明の実施形態は、ミリ波フェーズドアレイ・ビームアライメント方法および通信装置を開示する。本方法は、第１の装置が、低帯域通信リンクを介して第２の装置と通信して、検索角度を決定するステップと、第１の装置が、検索角度によって示される方向に第１のミリ波信号を送信して、第２の装置を検索するステップであって、第１のミリ波信号は高周波ミリ波信号である、ステップと、第１の装置が、第２の装置によって送信されるフィードバック情報を受信するステップであって、第２の装置は検索角度によって示される方向の第１のミリ波信号を受信した後にフィードバック情報を送信する、ステップと、第１の装置が、フィードバック情報の受信後に、検索角度によって示される方向において第２の装置とのミリ波フェーズドアレイ・ビームアライメントを実施することを決定するステップと、を有する。本方法によれば、ビーム検索の盲目性が低減され、ビームスキャン回数が著しく低減され、それによってフェーズドアレイ・ビームアライメント効率が改善される。
2016507980.tif 000002
【特許請求の範囲】
【請求項１】
ミリ波フェーズドアレイ・ビームアライメント方法であって、
第１の装置が、低帯域通信リンクを介して第２の装置と通信して、検索角度を決定するステップと、
前記第１の装置が、前記検索角度によって示される方向に第１のミリ波信号を送信して、前記第２の装置を検索するステップであって、前記第１のミリ波信号は高周波ミリ波信号である、ステップと、
前記第１の装置が、前記第２の装置によって送信されるフィードバック情報を受信するステップであって、前記第２の装置は前記検索角度によって示される前記方向から前記第１のミリ波信号を受信した後に前記フィードバック情報を送信する、ステップと、
前記第１の装置が、前記フィードバック情報の受信後に、前記検索角度によって示される前記方向において前記第２の装置とのミリ波フェーズドアレイ・ビームアライメントを実施することを決定するステップと、
を有する方法。
【請求項２】
前記第１の装置が前記第２の装置によって送信されるフィードバック情報を受信する前記ステップは、
前記第１の装置が、前記検索角度によって示される前記方向から、前記第２の装置により前記検索角度によって示される前記方向に送信される第２のミリ波信号を受信するステップであって、前記第２の装置は、前記検索角度によって示される前記方向から前記第１のミリ波信号を受信した後に前記第２のミリ波信号を送信し、前記第２のミリ波信号は高周波ミリ波信号である、ステップ、
を有し、
前記第１の装置が前記フィードバック情報の受信後に前記検索角度によって示される前記方向において前記第２の装置とのミリ波フェーズドアレイ・ビームアライメントを実施することを決定する前記ステップは、特に、
前記第１の装置が、前記第２のミリ波信号の受信後に、前記検索角度によって示される前記方向において前記第２の装置とのミリ波フェーズドアレイ・ビームアライメントを実施することを決定するステップである、
請求項１に記載の方法。
【請求項３】
前記第１の装置が前記第２の装置によって送信されるフィードバック情報を受信する前記ステップは、
前記第１の装置が、前記低帯域通信リンクを介して、前記第２の装置によって送信される前記フィードバック情報を受信するステップであって、前記フィードバック情報は、前記第２の装置が前記検索角度によって示される前記方向から前記第１のミリ波信号を受信したことを示すのに用いられる、ステップ、
を有する、請求項１に記載の方法。
【請求項４】
複数の検索角度が決定される場合、前記フィードバック情報は、前記第２の装置によって受信された前記第１のミリ波信号のビーム方向情報を含み、
前記第１の装置が前記フィードバック情報の受信後に前記検索角度によって示される前記方向において前記第２の装置とのミリ波フェーズドアレイ・ビームアライメントを実施することを決定する前記ステップは、特に、
前記第１の装置が、前記フィードバック情報の受信後に、前記フィードバック情報に含まれる前記第１のミリ波信号のビーム方向において前記第２の装置とのミリ波フェーズドアレイ・ビームアライメントを実施することを決定するステップである、
請求項３に記載の方法。
【請求項５】
第１の装置が低帯域通信リンクを介して第２の装置と通信して検索角度を決定する前記ステップの前に、前記方法は、
前記第１の装置と前記第２の装置との距離が距離閾値以下である場合、前記第１の装置が、広ビームミリ波信号を送信して前記第２の装置を検索するステップであって、前記広ビームミリ波信号は高周波ミリ波信号である、ステップと、
前記第１の装置が、前記第２の装置によって送信される信号帰属情報を受信するステップであって、前記信号帰属情報は、前記第２の装置によって受信された前記広ビームミリ波信号が属する前記第１の装置のアンテナセクターを含む、ステップと、
前記第１の装置が、前記アンテナセクターによって示される角度範囲を検索範囲として決定するステップと、
を更に有し、
第１の装置が低帯域通信リンクを介して第２の装置と通信して検索角度を決定する前記ステップは、特に、
前記第１の装置が、前記低帯域通信リンクを介して前記第２の装置と通信して、前記検索範囲内で前記検索角度を決定するステップである、
請求項１乃至４のいずれか一項に記載の方法。
【請求項６】
第１の装置が低帯域通信リンクを介して第２の装置と通信して検索角度を決定する前記ステップの前に、前記方法は、
前記第１の装置が、前記低帯域通信リンクを介して前記第２の装置の高度情報を受信するステップと、
前記第１の装置が、前記第１の装置の高度情報および前記第２の装置の前記高度情報に従って、検索範囲を決定するステップと、
を更に有し、
第１の装置が低帯域通信リンクを介して第２の装置と通信して検索角度を決定する前記ステップは、特に、
前記第１の装置が、前記低帯域通信リンクを介して前記第２の装置と通信して、前記検索範囲内で前記検索角度を決定するステップである、
請求項１乃至４のいずれか一項に記載の方法。
【請求項７】
ミリ波フェーズドアレイ・ビームアライメント方法であって、
第１の装置が、ミリ波信号を送信して第２の装置を検索するステップと、
前記第１の装置が、低帯域通信リンクを介して前記第２の装置によって送信されるフィードバック情報を受信するステップであって、前記フィードバック情報は、前記第２の装置が前記第１の装置によって送信された前記ミリ波信号を受信したことを示すのに用いられ、前記ミリ波信号は高周波ミリ波信号である、ステップと、
前記第１の装置が、前記フィードバック情報の受信後に、前記ミリ波信号の送信方向において前記第２の装置とのミリ波フェーズドアレイ・ビームアライメントを実施することを決定するステップと、
を有する方法。
【請求項８】
前記第１の装置がミリ波信号を複数の送信方向に送信して前記第２の装置を検索する場合、前記フィードバック情報は、前記第２の装置によって受信された前記ミリ波信号のビーム方向情報を含み、
前記第１の装置が前記フィードバック情報の受信後に前記ミリ波信号の送信方向において前記第２の装置とのミリ波フェーズドアレイ・ビームアライメントを実施することを決定する前記ステップは、特に、
前記第１の装置が、前記フィードバック情報の受信後に、前記フィードバック情報に含まれる前記ミリ波信号のビーム方向において前記第２の装置とのミリ波フェーズドアレイ・ビームアライメントを実施することを決定するステップである、
請求項７に記載の方法。
【請求項９】
第１の装置がミリ波信号を送信して第２の装置を検索する前記ステップの前に、前記方法は、
前記第１の装置と前記第２の装置との距離が距離閾値以下である場合、前記第１の装置が、広ビームミリ波信号を送信して前記第２の装置を検索するステップと、
前記第１の装置が、前記第２の装置によって送信される信号帰属情報を受信するステップであって、前記信号帰属情報は、前記第２の装置によって受信された前記広ビームミリ波信号が属する前記第１の装置のアンテナセクターを含み、前記広ビームミリ波信号は高周波ミリ波信号である、ステップと、
前記第１の装置が、前記アンテナセクターによって示される角度範囲を検索範囲として決定するステップと、
を更に有し、
第１の装置がミリ波信号を送信して第２の装置を検索する前記ステップは、特に、
前記第１の装置が、前記検索範囲内で前記ミリ波信号を送信して前記第２の装置を検索するステップである、
請求項７または８に記載の方法。
【請求項１０】
第１の装置がミリ波信号を送信して第２の装置を検索する前記ステップの前に、前記方法は、
前記第１の装置が、前記低帯域通信リンクを介して前記第２の装置の高度情報を受信するステップと、
前記第１の装置が、前記第１の装置の高度情報および前記第２の装置の前記高度情報に従って、検索範囲を決定するステップと、
を更に有し、
第１の装置がミリ波信号を送信して第２の装置を検索する前記ステップは、特に、
前記第１の装置が、前記検索範囲内で前記ミリ波信号を送信して前記第２の装置を検索するステップである、
請求項７または８に記載の方法。
【請求項１１】
ミリ波フェーズドアレイ・ビームアライメント方法であって、
第１の装置が、第２の装置が検索される検索範囲を決定するステップと、
前記第１の装置が、前記検索範囲内で第１のミリ波信号を送信して前記第２の装置を検索するステップと、
前記第１の装置が、前記第２の装置によって送信される第２のミリ波信号を受信するステップであって、前記第２の装置は前記第１のミリ波信号の受信後に前記第２のミリ波信号を送信する、ステップと、
前記第１の装置が、前記第２のミリ波信号の受信後に、前記第２のミリ波信号が受信された方向において前記第２の装置とのミリ波フェーズドアレイ・ビームアライメントを実施することを決定するステップと、
を有し、
前記第１のミリ波信号と前記第２のミリ波信号の両方は、高周波ミリ波信号である、
方法。
【請求項１２】
第１の装置が第２の装置が検索される検索範囲を決定する前記ステップは、
前記第１の装置と前記第２の装置との距離が距離閾値以下である場合、前記第１の装置が、広ビームミリ波信号を送信して前記第２の装置を検索するステップであって、前記広ビームミリ波信号は高周波ミリ波信号である、ステップと、
前記第１の装置が、前記第２の装置によって送信される信号帰属情報を受信するステップであって、前記信号帰属情報は、前記第２の装置によって受信された前記広ビームミリ波信号が属する前記第１の装置のアンテナセクターを含む、ステップと、
前記第１の装置が、前記アンテナセクターによって示される角度範囲を前記検索範囲として決定するステップと、
を有する、請求項１１に記載の方法。
【請求項１３】
第１の装置が第２の装置が検索される検索範囲を決定する前記ステップは、
前記第１の装置が、低帯域通信リンクを介して前記第２の装置の高度情報を受信するステップと、
前記第１の装置が、前記第１の装置の高度情報および前記第２の装置の前記高度情報に従って、前記検索範囲を決定するステップと、
を有する、請求項１１に記載の方法。
【請求項１４】
ミリ波フェーズドアレイ・ビームアライメント方法であって、
第２の装置が、低帯域通信リンクを介して第１の装置と通信して、検索角度を決定するステップと、
前記第２の装置が、前記検索角度によって示される方向から、前記第１の装置によって送信される第１のミリ波信号を受信するステップであって、前記第１のミリ波信号は高周波ミリ波信号である、ステップと、
前記第２の装置が、前記第１のミリ波信号の受信後に、前記第１の装置にフィードバック情報を送信するステップであって、そうして、前記第１の装置が前記フィードバック情報の受信後に、前記検索角度によって示される前記方向において前記第２の装置とのミリ波フェーズドアレイ・ビームアライメントを実施することを決定できるようにする、ステップと、
を有する方法。
【請求項１５】
前記第２の装置が前記第１のミリ波信号の受信後に前記第１の装置にフィードバック情報を送信する前記ステップは、
前記第２の装置が、前記第１のミリ波信号の受信後に、前記検索角度によって示される前記方向に第２のミリ波信号を送信するステップであって、そうして、前記第１の装置が前記検索角度によって示される前記方向から前記第２のミリ波信号を受信した後に、前記検索角度によって示される前記方向において前記第２の装置とのミリ波フェーズドアレイ・ビームアライメントを実施することを決定できるようにし、前記第２のミリ波信号は高周波ミリ波信号である、ステップ、
を有する、請求項１４に記載の方法。
【請求項１６】
前記第２の装置が前記第１のミリ波信号の受信後に前記第１の装置にフィードバック情報を送信する前記ステップは、
前記第２の装置が、前記第１のミリ波信号の受信後に、前記低帯域通信リンクを介して前記第１の装置に前記フィードバック情報を送信するステップであって、前記フィードバック情報は、前記第２の装置が前記検索角度によって示される前記方向から前記第１のミリ波信号を受信したことを示すのに用いられる、ステップ、
を有する、請求項１４に記載の方法。
【請求項１７】
複数の検索角度が決定される場合、前記フィードバック情報は、前記第２の装置によって受信された前記第１のミリ波信号のビーム方向情報を含み、そうして、前記第１の装置が前記フィードバック情報の受信後に、前記フィードバック情報に含まれる前記第１のミリ波信号のビーム方向において前記第２の装置とのミリ波フェーズドアレイ・ビームアライメントを実施することを決定できるようにする、
請求項１６に記載の方法。
【請求項１８】
第２の装置が低帯域通信リンクを介して第１の装置と通信して検索角度を決定する前記ステップの前に、前記方法は、
前記第２の装置と前記第１の装置との距離が距離閾値以下である場合、前記第２の装置が、前記第１の装置によって送信される広ビームミリ波信号を受信するステップであって、前記広ビームミリ波信号は高周波ミリ波信号である、ステップと、
前記第２の装置が、前記広ビームミリ波信号の受信後、前記第１の装置に信号帰属情報を送信するステップであって、前記信号帰属情報は、前記第２の装置によって受信された前記広ビームミリ波信号が属する前記第１の装置のアンテナセクターを含み、そうして、前記第１の装置が前記アンテナセクターによって示される角度範囲を検索範囲として決定できるようにする、ステップと、
を更に有し、
第２の装置が低帯域通信リンクを介して第１の装置と通信して検索角度を決定する前記ステップは、特に、
前記第２の装置が、前記低帯域通信リンクを介して前記第１の装置と通信して、前記検索範囲内で前記検索角度を決定するステップである、
請求項１４乃至１７のいずれか一項に記載の方法。
【請求項１９】
第２の装置が低帯域通信リンクを介して第１の装置と通信して検索角度を決定する前記ステップの前に、前記方法は、
前記第２の装置が、前記低帯域通信リンクを介して前記第１の装置に前記第２の装置の高度情報を送信するステップであって、そうして、前記第１の装置が、前記第１の装置の高度情報および前記第２の装置の前記高度情報に従って検索範囲を決定できるようにする、ステップ、
を更に含み、
第２の装置が低帯域通信リンクを介して第１の装置と通信して検索角度を決定する前記ステップは、特に、
前記第２の装置が、前記低帯域通信リンクを介して前記第１の装置と通信して、前記検索範囲内で前記検索角度を決定するステップである、
請求項１４乃至１７のいずれか一項に記載の方法。
【請求項２０】
ミリ波フェーズドアレイ・ビームアライメント方法であって、
第２の装置が、第１の装置によって送信されるミリ波信号を受信するステップであって、前記ミリ波信号は高周波ミリ波信号である、ステップと、
前記第２の装置が、前記ミリ波信号の受信後に、低帯域通信リンクを介して前記第１の装置にフィードバック情報を送信するステップであって、前記フィードバック情報は、前記第２の装置が前記第１の装置によって送信された前記ミリ波信号を受信したことを示すのに用いられ、そうして、前記第１の装置が前記フィードバック情報の受信後に、前記ミリ波信号の送信方向において前記第２の装置とのミリ波フェーズドアレイ・ビームアライメントを実施することを決定できるようにする、ステップと、
を有する方法。
【請求項２１】
前記フィードバック情報は、前記第２の装置によって受信された前記ミリ波信号のビーム方向情報を含み、そうして、前記第１の装置が前記フィードバック情報の受信後に、前記フィードバック情報に含まれる前記ミリ波信号のビーム方向において前記第２の装置とのミリ波フェーズドアレイ・ビームアライメントを実施することを決定できるようにする、
請求項２０に記載の方法。
【請求項２２】
第２の装置が第１の装置によって送信されるミリ波信号を受信する前記ステップの前に、前記方法は、
前記第２の装置と前記第１の装置との距離が距離閾値以下である場合、前記第２の装置が、前記第１の装置によって送信される広ビームミリ波信号を受信するステップであって、前記広ビームミリ波信号は高周波ミリ波信号である、ステップと、
前記第２の装置が、前記広ビームミリ波信号の受信後、前記第１の装置に信号帰属情報を送信するステップであって、前記信号帰属情報は、前記第２の装置によって受信された前記広ビームミリ波信号が属する前記第１の装置のアンテナセクターを含み、そうして、前記第１の装置が前記アンテナセクターによって示される角度範囲を検索範囲として決定できるようにする、ステップと、
を更に有し、
第２の装置が第１の装置によって送信されるミリ波信号を受信する前記ステップは、特に、
前記第２の装置が、前記検索範囲内で、前記第１の装置によって送信される前記ミリ波信号を受信するステップである、
請求項２０または２１に記載の方法。
【請求項２３】
第２の装置が第１の装置によって送信されるミリ波信号を受信する前記ステップの前に、前記方法は、
前記第２の装置が、前記低帯域通信リンクを介して前記第１の装置に前記第２の装置の高度情報を送信するステップであって、そうして、前記第１の装置が、前記第１の装置の高度情報および前記第２の装置の前記高度情報に従って検索範囲を決定できるようにする、ステップ、
を更に有し、
第２の装置が第１の装置によって送信されるミリ波信号を受信する前記ステップは、特に、
前記第２の装置が、前記検索範囲内で、前記第１の装置によって送信される前記ミリ波信号を受信するステップである、
請求項２０または２１に記載の方法。
【請求項２４】
ミリ波フェーズドアレイ・ビームアライメント方法であって、
第２の装置が、決定された検索範囲内で第１の装置によって送信された第１のミリ波信号を受信するステップと、
前記第２の装置が、前記第１のミリ波信号の受信後に第２のミリ波信号を送信するステップであって、そうして、前記第１の装置が前記第２のミリ波信号の受信後に、前記第２のミリ波信号が受信された方向において前記第２の装置とのミリ波フェーズドアレイ・ビームアライメントを実施することを決定できるようにし、前記第１のミリ波信号と前記第２のミリ波信号の両方は高周波ミリ波信号である、ステップと、
を有する方法。
【請求項２５】
第２の装置が決定された検索範囲内で第１の装置によって送信された第１のミリ波信号を受信する前記ステップの前に、前記方法は、
前記第２の装置と前記第１の装置との距離が距離閾値以下である場合、前記第２の装置が、前記第１の装置によって送信される広ビームミリ波信号を受信するステップであって、前記広ビームミリ波信号は高周波ミリ波信号である、ステップと、
前記第２の装置が、前記広ビームミリ波信号の受信後、前記第１の装置に信号帰属情報を送信するステップであって、前記信号帰属情報は、前記第２の装置によって受信された前記広ビームミリ波信号が属する前記第１の装置のアンテナセクターを含み、そうして、前記第１の装置が、前記アンテナセクターによって示される角度範囲を前記検索範囲として決定できるようにする、ステップと、
を更に有する、請求項２４に記載の方法。
【請求項２６】
第２の装置が決定された検索範囲内で第１の装置によって送信された第１のミリ波信号を受信する前記ステップの前に、前記方法は、
前記第２の装置が、低帯域通信リンクを介して前記第１の装置に前記第２の装置の高度情報を送信するステップであって、そうして、前記第１の装置が、前記第１の装置の高度情報および前記第２の装置の前記高度情報に従って前記検索範囲を決定できるようにする、ステップ、
を更に有する請求項２４に記載の方法。
【請求項２７】
低帯域通信リンクを介して第２の装置と通信して、検索角度を決定するように構成される角度決定ユニットと、
前記検索角度によって示される方向に第１のミリ波信号を送信して、前記第２の装置を検索するように構成される信号送信ユニットであって、前記第１のミリ波信号は高周波ミリ波信号である、信号送信ユニットと、
前記第２の装置によって送信されるフィードバック情報を受信するように構成される信号受信ユニットであって、前記第２の装置は前記検索角度によって示される前記方向から前記第１のミリ波信号を受信した後に前記フィードバック情報を送信する、信号受信ユニットと、
前記信号受信ユニットが前記フィードバック情報を受信した後に、前記検索角度によって示される前記方向において前記第２の装置とのミリ波フェーズドアレイ・ビームアライメントを実施することを決定するように構成されるアライメントユニットと、
を備える通信装置。
【請求項２８】
前記信号受信ユニットは、特に、前記検索角度によって示される前記方向から、前記第２の装置により前記検索角度によって示される前記方向に送信される第２のミリ波信号を受信するように構成され、前記第２の装置は、前記検索角度によって示される前記方向から前記第１のミリ波信号を受信した後に前記第２のミリ波信号を送信し、前記第２のミリ波信号は高周波ミリ波信号であり、
前記アライメントユニットは、特に、前記信号受信ユニットが前記第２のミリ波信号を受信した後に、前記検索角度によって示される前記方向において前記第２の装置とのミリ波フェーズドアレイ・ビームアライメントを実施することを決定するように構成される、
請求項２７に記載の通信装置。
【請求項２９】
前記信号受信ユニットは、特に、前記低帯域通信リンクを介して、前記第２の装置によって送信される前記フィードバック情報を受信するように構成され、前記フィードバック情報は、前記第２の装置が前記検索角度によって示される前記方向から前記第１のミリ波信号を受信したことを示すのに用いられる、
請求項２７に記載の通信装置。
【請求項３０】
前記角度決定ユニットにより複数の検索角度が決定される場合、前記信号受信ユニットによって受信される前記フィードバック情報は、前記第２の装置によって受信される前記第１のミリ波信号のビーム方向情報を含み、
前記アライメントユニットは、特に、前記信号受信ユニットが前記フィードバック情報を受信した後に、前記フィードバック情報に含まれる前記第１のミリ波信号のビーム方向において前記第２の装置とのミリ波フェーズドアレイ・ビームアライメントを実施することを決定するように構成される、
請求項２９に記載の通信装置。
【請求項３１】
第１の範囲決定ユニットを更に備え、
前記第１の範囲決定ユニットは、前記角度決定ユニットが前記低帯域通信リンクを介して前記第２の装置と通信して前記検索角度を決定する前に、前記通信装置と前記第２の装置との距離が距離閾値以下である場合、広ビームミリ波信号を送信して前記第２の装置を検索するように構成され、前記広ビームミリ波信号は高周波ミリ波信号であり、また、前記第２の装置によって送信される信号帰属情報を受信するように構成され、前記信号帰属情報は、前記第２の装置によって受信された前記広ビームミリ波信号が属する前記通信装置のアンテナセクターを含み、また、前記アンテナセクターによって示される角度範囲を検索範囲として決定するように構成され、
前記角度決定ユニットは、特に、前記低帯域通信リンクを介して前記第２の装置と通信して、前記検索範囲内で前記検索角度を決定するように構成される、
請求項２７乃至３０のいずれか一項に記載の通信装置。
【請求項３２】
前記角度決定ユニットが前記低帯域通信リンクを介して前記第２の装置と通信して、前記検索角度を決定する前に、前記低帯域通信リンクを介して前記第２の装置の高度情報を受信するように構成される高度情報受信ユニットと、
前記通信装置の高度情報および前記第２の装置の前記高度情報に従って、検索範囲を決定するように構成される第２の範囲決定ユニットと、
を更に備え、
前記角度決定ユニットは、特に、前記低帯域通信リンクを介して前記第２の装置と通信して、前記検索範囲内で前記検索角度を決定するように構成される、
請求項２７乃至３０のいずれか一項に記載の通信装置。
【請求項３３】
ミリ波信号を送信して第２の装置を検索するように構成される信号送信ユニットと、
低帯域通信リンクを介して前記第２の装置によって送信されるフィードバック情報を受信するように構成される信号受信ユニットであって、前記フィードバック情報は、前記第２の装置が前記通信装置によって送信された前記ミリ波信号を受信したことを示すのに用いられ、前記ミリ波信号は高周波ミリ波信号である、信号受信ユニットと、
前記信号受信ユニットが前記フィードバック情報を受信した後に、前記ミリ波信号の送信方向において前記第２の装置とのミリ波フェーズドアレイ・ビームアライメントを実施することを決定するように構成されるアライメントユニットと、
を備える通信装置。
【請求項３４】
前記信号送信ユニットがミリ波信号を複数の送信方向に送信して前記第２の装置を検索する場合、前記信号受信ユニットによって受信される前記フィードバック情報は、前記第２の装置によって受信された前記ミリ波信号のビーム方向情報を含み、
前記アライメントユニットは、特に、前記信号受信ユニットが前記フィードバック情報を受信した後に、前記フィードバック情報に含まれる前記ミリ波信号のビーム方向において前記第２の装置とのミリ波フェーズドアレイ・ビームアライメントを実施することを決定するように構成される、
請求項３３に記載の通信装置。
【請求項３５】
第１の範囲決定ユニットを更に備え、
前記第１の範囲決定ユニットは、前記信号送信ユニットが前記ミリ波信号を送信して前記第２の装置を検索する前に、前記通信装置と前記第２の装置との距離が距離閾値以下である場合、広ビームミリ波信号を送信して前記第２の装置を検索するように構成され、前記広ビームミリ波信号は高周波ミリ波信号であり、また、前記第２の装置によって送信される信号帰属情報を受信するように構成され、前記信号帰属情報は、前記第２の装置によって受信された前記広ビームミリ波信号が属する前記通信装置のアンテナセクターを含み、また、前記アンテナセクターによって示される角度範囲を検索範囲として決定するように構成され、
前記信号送信ユニットは、特に、前記検索範囲内で前記ミリ波信号を送信して前記第２の装置を検索するように構成される、
請求項３３または３４に記載の通信装置。
【請求項３６】
前記信号送信ユニットが前記ミリ波信号を送信して前記第２の装置を検索する前に、前記低帯域通信リンクを介して前記第２の装置の高度情報を受信するように構成される高度情報受信ユニットと、
前記通信装置の高度情報および前記第２の装置の前記高度情報に従って、検索範囲を決定するように構成される第２の範囲決定ユニットと、
を更に備え、
前記信号送信ユニットは、特に、前記検索範囲内で前記ミリ波信号を送信して前記第２の装置を検索するように構成される、
請求項３３または３４に記載の通信装置。
【請求項３７】
第２の装置が検索される検索範囲を決定するように構成される範囲決定ユニットと、
前記検索範囲内で第１のミリ波信号を送信して前記第２の装置を検索するように構成される信号送信ユニットと、
前記第２の装置によって送信される第２のミリ波信号を受信するように構成される信号受信ユニットであって、前記第２の装置は前記第１のミリ波信号の受信後に前記第２のミリ波信号を送信する、信号受信ユニットと、
前記第２のミリ波信号が受信された後に、前記第２のミリ波信号が受信された方向において前記第２の装置とのミリ波フェーズドアレイ・ビームアライメントを実施することを決定するように構成されるアライメントユニットと、
を備える通信装置であって、
前記第１のミリ波信号と前記第２のミリ波信号の両方は、高周波ミリ波信号である、
通信装置。
【請求項３８】
前記範囲決定ユニットは、特に、前記通信装置と前記第２の装置との距離が距離閾値以下である場合、広ビームミリ波信号を送信して前記第２の装置を検索するように構成され、前記広ビームミリ波信号は高周波ミリ波信号であり、また、前記第２の装置によって送信される信号帰属情報を受信するように構成され、前記信号帰属情報は、前記第２の装置によって受信された前記広ビームミリ波信号が属する前記通信装置のアンテナセクターを含み、また、前記アンテナセクターによって示される角度範囲を前記検索範囲として決定するように構成される、
請求項３７に記載の通信装置。
【請求項３９】
前記範囲決定ユニットは、
低帯域通信リンクを介して前記第２の装置の高度情報を受信するように構成される受信サブユニットと、
前記通信装置の高度情報および前記第２の装置の前記高度情報に従って、前記検索範囲を決定するように構成される決定サブユニットと、
を有する、請求項３７に記載の通信装置。
【請求項４０】
低帯域通信リンクを介して第１の装置と通信して、検索角度を決定するように構成される角度決定ユニットと、
前記検索角度によって示される方向から、前記第１の装置によって送信される第１のミリ波信号を受信するように構成される信号受信ユニットであって、前記第１のミリ波信号は高周波ミリ波信号である、信号受信ユニットと、
前記信号受信ユニットが前記第１のミリ波信号を受信した後に、前記第１の装置にフィードバック情報を送信するように構成されるフィードバックユニットであって、そうして、前記第１の装置が前記フィードバック情報の受信後に、前記検索角度によって示される前記方向において前記通信装置とのミリ波フェーズドアレイ・ビームアライメントを実施することを決定できるようにする、フィードバックユニットと、
を備える通信装置。
【請求項４１】
前記フィードバックユニットは、特に、前記信号受信ユニットが前記第１のミリ波信号を受信した後に、前記検索角度によって示される前記方向に第２のミリ波信号を送信するように構成され、そうして、前記第１の装置が前記検索角度によって示される前記方向から前記第２のミリ波信号を受信した後に、前記検索角度によって示される前記方向において前記通信装置とのミリ波フェーズドアレイ・ビームアライメントを実施することを決定できるようにし、前記第２のミリ波信号は高周波ミリ波信号である、
請求項４０に記載の通信装置。
【請求項４２】
前記フィードバックユニットは、特に、前記信号受信ユニットが前記第１のミリ波信号を受信した後に、前記低帯域通信リンクを介して前記第１の装置に前記フィードバック情報を送信するように構成され、前記フィードバック情報は、前記通信装置が前記検索角度によって示される前記方向から前記第１のミリ波信号を受信したことを示すのに用いられる、
請求項４０に記載の通信装置。
【請求項４３】
前記角度決定ユニットにより複数の検索角度が決定される場合、前記フィードバック情報は、前記信号受信ユニットによって受信された前記第１のミリ波信号のビーム方向情報を含み、そうして、前記第１の装置が前記フィードバック情報の受信後に、前記フィードバック情報に含まれる前記第１のミリ波信号のビーム方向において前記通信装置とのミリ波フェーズドアレイ・ビームアライメントを実施することを決定できるようにする、
請求項４２に記載の通信装置。
【請求項４４】
前記信号受信ユニットは更に、前記角度決定ユニットが前記低帯域通信リンクを介して前記第１の装置と通信して前記検索角度を決定する前に、前記通信装置と前記第１の装置との距離が距離閾値以下である場合、前記第１の装置によって送信される広ビームミリ波信号を受信するように構成され、前記広ビームミリ波信号は高周波ミリ波信号であり、
前記フィードバックユニットは更に、前記信号受信ユニットが前記広ビームミリ波信号を受信した後に、前記第１の装置に信号帰属情報を送信するように構成され、前記信号帰属情報は、前記通信装置によって受信された前記広ビームミリ波信号が属する前記第１の装置のアンテナセクターを含み、そうして、前記第１の装置が前記アンテナセクターによって示される角度範囲を検索範囲として決定できるようにし、
前記角度決定ユニットは、特に、前記低帯域通信リンクを介して前記第１の装置と通信して、前記検索範囲内で前記検索角度を決定するように構成される、
請求項４０乃至４３のいずれか一項に記載の通信装置。
【請求項４５】
高度情報送信ユニットを更に備え、
前記高度情報送信ユニットは、前記角度決定ユニットが前記低帯域通信リンクを介して前記第１の装置と通信して前記検索角度を決定する前に、前記低帯域通信リンクを介して前記第１の装置に前記通信装置の高度情報を送信するように構成され、そうして、前記第１の装置が、前記第１の装置の高度情報および前記通信装置の前記高度情報に従って検索範囲を決定できるようにし、
前記角度決定ユニットは、特に、前記低帯域通信リンクを介して前記第１の装置と通信して、前記検索範囲内で前記検索角度を決定するように構成される、
請求項４０乃至４３のいずれか一項に記載の通信装置。
【請求項４６】
第１の装置によって送信されるミリ波信号を受信するように構成される信号受信ユニットであって、前記ミリ波信号は高周波ミリ波信号である、信号受信ユニットと、
前記信号受信ユニットが前記ミリ波信号を受信した後に、低帯域通信リンクを介して前記第１の装置にフィードバック情報を送信するように構成されるフィードバックユニットであって、前記フィードバック情報は、前記通信装置が前記第１の装置によって送信された前記ミリ波信号を受信したことを示すのに用いられ、そうして、前記第１の装置が前記フィードバック情報の受信後に、前記ミリ波信号の送信方向において前記通信装置とのミリ波フェーズドアレイ・ビームアライメントを実施することを決定できるようにする、フィードバックユニットと、
を備える通信装置。
【請求項４７】
前記フィードバック情報は、前記通信装置によって受信された前記ミリ波信号のビーム方向情報を含み、そうして、前記第１の装置が前記フィードバック情報の受信後に、前記フィードバック情報に含まれる前記ミリ波信号のビーム方向において前記通信装置とのミリ波フェーズドアレイ・ビームアライメントを実施することを決定できるようにする、
請求項４６に記載の通信装置。
【請求項４８】
前記信号受信ユニットは更に、前記第１の装置によって送信される前記ミリ波信号が受信される前に、前記通信装置と前記第１の装置との距離が距離閾値以下である場合、前記第１の装置によって送信される広ビームミリ波信号を受信するように構成され、前記広ビームミリ波信号は高周波ミリ波信号であり、
前記フィードバックユニットは更に、前記信号受信ユニットが前記広ビームミリ波信号を受信した後に、前記第１の装置に信号帰属情報を送信するように構成され、前記信号帰属情報は、前記通信装置によって受信された前記広ビームミリ波信号が属する前記第１の装置のアンテナセクターを含み、そうして、前記第１の装置が前記アンテナセクターによって示される角度範囲を検索範囲として決定できるようにし、
前記信号受信ユニットは、特に、前記検索範囲内で、前記第１の装置によって送信される前記ミリ波信号を受信するように構成される、
請求項４６または４７に記載の通信装置。
【請求項４９】
高度情報送信ユニットを更に備え、
前記高度情報送信ユニットは、前記信号受信ユニットが前記第１の装置によって送信される前記ミリ波信号を受信する前に、前記低帯域通信リンクを介して前記第１の装置に前記通信装置の高度情報を送信するように構成され、そうして、前記第１の装置が、前記第１の装置の高度情報および前記通信装置の前記高度情報に従って検索範囲を決定できるようにし、
前記信号受信ユニットは、特に、前記検索範囲内で、前記第１の装置によって送信される前記ミリ波信号を受信するように構成される、
請求項４６または４７に記載の通信装置。
【請求項５０】
決定された検索範囲内で第１の装置によって送信された第１のミリ波信号を受信するように構成される信号受信ユニットと、
前記信号受信ユニットが前記第１のミリ波信号を受信した後に、第２のミリ波信号を送信するように構成される信号送信ユニットであって、そうして、前記第１の装置が前記第２のミリ波信号の受信後に、前記第２のミリ波信号が受信された方向において前記通信装置とのミリ波フェーズドアレイ・ビームアライメントを実施することを決定できるようにし、前記第１のミリ波信号と前記第２のミリ波信号の両方は高周波ミリ波信号である、信号送信ユニットと、
を備える通信装置。
【請求項５１】
前記信号受信ユニットは更に、前記決定された検索範囲内で前記第１の装置によって送信された前記第１のミリ波信号が受信される前に、前記通信装置と前記第１の装置との距離が距離閾値以下である場合、前記第１の装置によって送信される広ビームミリ波信号を受信するように構成され、前記広ビームミリ波信号は高周波ミリ波信号であり、
前記信号送信ユニットは更に、前記信号受信ユニットが前記広ビームミリ波信号を受信した後に、前記第１の装置に信号帰属情報を送信するように構成され、前記信号帰属情報は、前記通信装置によって受信された前記広ビームミリ波信号が属する前記第１の装置のアンテナセクターを含み、そうして、前記第１の装置が前記アンテナセクターによって示される角度範囲を前記検索範囲として決定できるようにする、
請求項５０に記載の通信装置。
【請求項５２】
高度情報送信ユニットを更に備え、
前期高度情報送信ユニットは、前記信号受信ユニットが前記決定された検索範囲内で前記第１の装置によって送信された前記第１のミリ波信号を受信する前に、前記低帯域通信リンクを介して前記第１の装置に前記通信装置の高度情報を送信するように構成され、そうして、前記第１の装置が、前記第１の装置の高度情報および前記通信装置の前記高度情報に従って前記検索範囲を決定できるようにする、
請求項５０に記載の通信装置。
【請求項５３】
請求項２７乃至３２のいずれか一項に記載の通信装置と、請求項４０乃至４５のいずれか一項に記載の通信装置とを備える、ミリ波フェーズドアレイ・ビームアライメントシステム。
【請求項５４】
請求項３３乃至３６のいずれか一項に記載の通信装置と、請求項４６乃至４９のいずれか一項に記載の通信装置とを備える、ミリ波フェーズドアレイ・ビームアライメントシステム。
【請求項５５】
請求項３７乃至３９のいずれか一項に記載の通信装置と、請求項５０乃至５２のいずれか一項に記載の通信装置とを備える、ミリ波フェーズドアレイ・ビームアライメントシステム。
【発明の詳細な説明】
【技術分野】
【０００１】
本願は、２０１３年１月２２日付けで中国特許庁に出願された中国特許出願第ＣＮ２０１３１００２３４３８．７号（発明の名称「ミリ波フェーズドアレイ・ビームアライメント方法および通信装置」）に基づく優先権を主張し、参照によりその全体を本願に援用する。
【０００２】
本発明は、通信技術の分野に関し、特に、ミリ波フェーズドアレイ・ビームアライメント方法および通信装置に関する。
【背景技術】
【０００３】
現在広く適用されている近距離無線通信規格では、装置によって利用される周波数帯域が主に２．４ＧＨｚおよび５ＧＨｚの周波数帯域であることが記載されているが、６０ＧＨｚミリ波通信技術が徐々に盛んになっている。既存の周波数帯域と比較すると、６０ＧＨｚミリ波通信技術により、数ギガビット／秒（Ｇｂｐｓ）のレベルで電子デバイス間の超高速デジタル無線伝送を実施することができる。将来、無線通信装置は、３つの周波数帯域すなわち２．４ＧＨｚ、５ＧＨｚおよび６０ＧＨｚで動作することができる。２．４ＧＨｚおよび５ＧＨｚの周波数帯域は比較的低速のデータ伝送の実現に用いられ、６０ＧＨｚの周波数帯域は高速データ伝送の実現に用いられる。
【０００４】
６０ＧＨｚミリ波は、大気伝送の電波スペクトルの減衰ピークの１つに位置し、空間伝送において大きく減衰する。ミリ波コンポーネントの技術やコスト等の要因による制限を受け、小さなミリ波の送信電力は制限される。したがって、単一の放射素子をもつアンテナの６０ＧＨｚミリ波の通信距離は、比較的短い。ミリ波の通信距離を長くし高速データ伝送を実現するために、ミリ波信号の送受信にフェーズドアレイ指向性ビームアンテナを採用することができる。６０ＧＨｚシステムにおいて、アンテナサイズを縮小することにより、複数のアンテナを単一の装置に都合よく構成することができ、フェーズドアレイアンテナの構成により、ビームフォーミングが促進される。
【０００５】
送信アンテナと受信アンテナはビームスキャンおよび検索を行う。送信装置と受信装置は、送信装置のフェーズドアレイビームと受信装置のフェーズドアレイビームとが相互にアラインされたときのみ、互いに通信することができる。
【０００６】
従来技術では、ミリ波フェーズドアレイ・ビームアライメント方法は以下の工程を含む。送信装置が信号を送信して、ビームスキャンおよび検索を実行する。送信装置から送信された信号を受信装置が受信した後、元の受信装置が送信装置になり、元の送信装置が受信装置になる。ビームスキャンおよび検索が再度実行される。元の受信装置によって送信された信号を元の送信装置が受信した後にのみ、２つの装置は相手がどの方向に存在するのかを知ることができ、ビーム検索プロセス全体が完了し、２つの装置間でフェーズドアレイ・ビームアライメントが実施される。ビーム検索が実行されるとき、しらみつぶしの方法が採用される。検索中、検索対象および停止アルゴリズムが指定されないので、送信装置はしらみつぶし検索を実行して、受信装置が存在する通信ビーム指向角度を見つける前に、可能性のあるビーム指向方向を全てトラバースしなければならない。したがって、従来技術では、フェーズドアレイ・ビームアライメント方法は時間がかかり、非効率的である。
【発明の概要】
【０００７】
本発明の実施形態は、フェーズドアレイ・ビームアライメントの効率を改善することのできるミリ波フェーズドアレイ・ビームアライメント方法および通信装置を提供する。
【０００８】
前述の技術的問題を解決するために、本発明の実施形態は、以下の技術的構成を開示する。
【０００９】
第１の態様によれば、ミリ波フェーズドアレイ・ビームアライメント方法が提供される。該方法は、
第１の装置が、低帯域通信リンクを介して第２の装置と通信して、検索角度を決定するステップと、
前記第１の装置が、前記検索角度によって示される方向に第１のミリ波信号を送信して、前記第２の装置を検索するステップであって、前記第１のミリ波信号は高周波ミリ波信号である、ステップと、
前記第１の装置が、前記第２の装置によって送信されるフィードバック情報を受信するステップであって、前記第２の装置は前記検索角度によって示される前記方向から前記第１のミリ波信号を受信した後に前記フィードバック情報を送信する、ステップと、
前記第１の装置が、前記フィードバック情報の受信後に、前記検索角度によって示される前記方向において前記第２の装置とのミリ波フェーズドアレイ・ビームアライメントを実施することを決定するステップと、
を有する。
【００１０】
前述の第１の態様に関して、第１の可能な実施方式では、前記第１の装置が前記第２の装置によって送信されるフィードバック情報を受信する前記ステップは、
前記第１の装置が、前記検索角度によって示される前記方向から、前記第２の装置により前記検索角度によって示される前記方向に送信される第２のミリ波信号を受信するステップであって、前記第２の装置は、前記検索角度によって示される前記方向から前記第１のミリ波信号を受信した後に前記第２のミリ波信号を送信し、前記第２のミリ波信号は高周波ミリ波信号である、ステップ、
を有し、
前記第１の装置が前記フィードバック情報の受信後に、前記検索角度によって示される前記方向において前記第２の装置とのミリ波フェーズドアレイ・ビームアライメントを実施することを決定する前記ステップは、特に、
前記第１の装置が、前記第２のミリ波信号の受信後に、前記検索角度によって示される前記方向において前記第２の装置とのミリ波フェーズドアレイ・ビームアライメントを実施することを決定するステップである。
【００１１】
前述の第１の態様および／または第１の可能な実施方式に関して、第２の可能な実施方式では、前記第１の装置が前記第２の装置によって送信されるフィードバック情報を受信する前記ステップは、
前記第１の装置が、前記低帯域通信リンクを介して、前記第２の装置によって送信される前記フィードバック情報を受信するステップであって、前記フィードバック情報は、前記第２の装置が前記検索角度によって示される前記方向から前記第１のミリ波信号を受信したことを示すのに用いられる、ステップ、
を有する。
【００１２】
前述の第１の態様および／または第１の可能な実施方式および／または第２の可能な実施方式に関して、第３の可能な実施方式では、複数の検索角度が決定される場合、前記フィードバック情報は、前記第２の装置によって受信された前記第１のミリ波信号のビーム方向情報を含み、
前記第１の装置が前記フィードバック情報の受信後に前記検索角度によって示される前記方向において前記第２の装置とのミリ波フェーズドアレイ・ビームアライメントを実施することを決定する前記ステップは、特に、
前記第１の装置が、前記フィードバック情報の受信後に、前記フィードバック情報に含まれる前記第１のミリ波信号のビーム方向において前記第２の装置とのミリ波フェーズドアレイ・ビームアライメントを実施することを決定するステップである。
【００１３】
前述の第１の態様および／または第１の可能な実施方式および／または第２の可能な実施方式および／または第３の可能な実施方式に関して、第４の可能な実施方式では、第１の装置が低帯域通信リンクを介して第２の装置と通信して検索角度を決定する前記ステップの前に、前記方法は、
前記第１の装置と前記第２の装置との距離が距離閾値以下である場合、前記第１の装置が、広ビームミリ波信号を送信して前記第２の装置を検索するステップであって、前記広ビームミリ波信号は高周波ミリ波信号である、ステップと、
前記第１の装置が、前記第２の装置によって送信される信号帰属情報を受信するステップであって、前記信号帰属情報は、前記第２の装置によって受信された前記広ビームミリ波信号が属する前記第１の装置のアンテナセクターを含む、ステップと、
前記第１の装置が、前記アンテナセクターによって示される角度範囲を検索範囲として決定するステップと、
を更に有し、
第１の装置が低帯域通信リンクを介して第２の装置と通信して検索角度を決定する前記ステップは、特に、
前記第１の装置が、前記低帯域通信リンクを介して前記第２の装置と通信して、前記検索範囲内で前記検索角度を決定するステップである。
【００１４】
前述の第１の態様および／または第１の可能な実施方式および／または第２の可能な実施方式および／または第３の可能な実施方式および／または第４の可能な実施方式に関して、第５の可能な実施方式では、第１の装置が低帯域通信リンクを介して第２の装置と通信して検索角度を決定する前記ステップの前に、前記方法は、
前記第１の装置が、前記低帯域通信リンクを介して前記第２の装置の高度情報を受信するステップと、
前記第１の装置が、前記第１の装置の高度情報および前記第２の装置の前記高度情報に従って、検索範囲を決定するステップと、
を更に有し、
第１の装置が低帯域通信リンクを介して第２の装置と通信して検索角度を決定する前記ステップは、特に、
前記第１の装置が、前記低帯域通信リンクを介して前記第２の装置と通信して、前記検索範囲内で前記検索角度を決定するステップである。
【００１５】
第２の態様によれば、ミリ波フェーズドアレイ・ビームアライメント方法が提供される。該方法は、
第１の装置が、ミリ波信号を送信して第２の装置を検索するステップと、
前記第１の装置が、低帯域通信リンクを介して前記第２の装置によって送信されるフィードバック情報を受信するステップであって、前記フィードバック情報は、前記第２の装置が前記第１の装置によって送信された前記ミリ波信号を受信したことを示すのに用いられ、前記ミリ波信号は高周波ミリ波信号である、ステップと、
前記第１の装置が、前記フィードバック情報の受信後に、前記ミリ波信号の送信方向において前記第２の装置とのミリ波フェーズドアレイ・ビームアライメントを実施することを決定するステップと、
を有する。
【００１６】
前述の第２の態様に関して、第１の可能な実施方式では、前記第１の装置がミリ波信号を複数の送信方向に送信して前記第２の装置を検索する場合、前記フィードバック情報は、前記第２の装置によって受信された前記ミリ波信号のビーム方向情報を含み、
前記第１の装置が前記フィードバック情報の受信後に前記ミリ波信号の送信方向において前記第２の装置とのミリ波フェーズドアレイ・ビームアライメントを実施することを決定する前記ステップは、特に、
前記第１の装置が、前記フィードバック情報の受信後に、前記フィードバック情報に含まれる前記ミリ波信号のビーム方向において前記第２の装置とのミリ波フェーズドアレイ・ビームアライメントを実施することを決定する。
【００１７】
前述の第２の態様および／または第１の可能な実施方式に関して、第２の可能な実施方式では、第１の装置がミリ波信号を送信して第２の装置を検索する前記ステップの前に、前記方法は、
前記第１の装置と前記第２の装置との距離が距離閾値以下である場合、前記第１の装置が、広ビームミリ波信号を送信して前記第２の装置を検索するステップと、
前記第１の装置が、前記第２の装置によって送信される信号帰属情報を受信するステップであって、前記信号帰属情報は、前記第２の装置によって受信された前記広ビームミリ波信号が属する前記第１の装置のアンテナセクターを含み、前記広ビームミリ波信号は高周波ミリ波信号である、ステップと、
前記第１の装置が、前記アンテナセクターによって示される角度範囲を検索範囲として決定するステップと、
を更に有し、
第１の装置がミリ波信号を送信して第２の装置を検索する前記ステップは、特に、
前記第１の装置が、前記検索範囲内で前記ミリ波信号を送信して前記第２の装置を検索するステップである。
【００１８】
前述の第２の態様および／または第１の可能な実施方式および／または第２の可能な実施方式に関して、第３の可能な実施方式では、第１の装置がミリ波信号を送信して第２の装置を検索する前記ステップの前に、前記方法は、
前記第１の装置が、前記低帯域通信リンクを介して前記第２の装置の高度情報を受信するステップと、
前記第１の装置が、前記第１の装置の高度情報および前記第２の装置の前記高度情報に従って、検索範囲を決定するステップと、
を更に有し、
第１の装置がミリ波信号を送信して第２の装置を検索する前記ステップは、特に、
前記第１の装置が、前記検索範囲内で前記ミリ波信号を送信して前記第２の装置を検索するステップである。
【００１９】
第３の態様によれば、ミリ波フェーズドアレイ・ビームアライメント方法が提供される。該方法は、
第１の装置が、第２の装置が検索される検索範囲を決定するステップと、
前記第１の装置が、前記検索範囲内で第１のミリ波信号を送信して前記第２の装置を検索するステップと、
前記第１の装置が、前記第２の装置によって送信される第２のミリ波信号を受信するステップであって、前記第２の装置は前記第１のミリ波信号の受信後に前記第２のミリ波信号を送信する、ステップと、
前記第１の装置が、前記第２のミリ波信号の受信後に、前記第２のミリ波信号が受信された方向において前記第２の装置とのミリ波フェーズドアレイ・ビームアライメントを実施することを決定するステップと、
を有し、
前記第１のミリ波信号と前記第２のミリ波信号の両方は、高周波ミリ波信号である。
【００２０】
前述の第３の態様に関して、第１の可能な実施方式では、第１の装置が第２の装置が検索される検索範囲を決定する前記ステップは、
前記第１の装置と前記第２の装置との距離が距離閾値以下である場合、前記第１の装置が、広ビームミリ波信号を送信して前記第２の装置を検索するステップであって、前記広ビームミリ波信号は高周波ミリ波信号である、ステップと、
前記第１の装置が、前記第２の装置によって送信される信号帰属情報を受信するステップであって、前記信号帰属情報は、前記第２の装置によって受信された前記広ビームミリ波信号が属する前記第１の装置のアンテナセクターを含む、ステップと、
前記第１の装置が、前記アンテナセクターによって示される角度範囲を前記検索範囲として決定するステップと、
を有する。
【００２１】
前述の第３の態様および／または第１の可能な実施方式に関して、第２の可能な実施方式では、第１の装置が第２の装置が検索される検索範囲を決定する前記ステップは、
前記第１の装置が、低帯域通信リンクを介して前記第２の装置の高度情報を受信するステップと、
前記第１の装置が、前記第１の装置の高度情報および前記第２の装置の前記高度情報に従って、前記検索範囲を決定するステップと、
を有する。
【００２２】
第４の態様によれば、ミリ波フェーズドアレイ・ビームアライメント方法が提供される。該方法は、
第２の装置が、低帯域通信リンクを介して第１の装置と通信して、検索角度を決定するステップと、
前記第２の装置が、前記検索角度によって示される方向から、前記第１の装置によって送信される第１のミリ波信号を受信するステップであって、前記第１のミリ波信号は高周波ミリ波信号である、ステップと、
前記第２の装置が、前記第１のミリ波信号の受信後に、前記第１の装置にフィードバック情報を送信するステップであって、そうして、前記第１の装置が前記フィードバック情報の受信後に、前記検索角度によって示される前記方向において前記第２の装置とのミリ波フェーズドアレイ・ビームアライメントを実施することを決定できるようにする、ステップと、
を有する。
【００２３】
前述の第４の態様に関して、第１の可能な実施方式では、前記第２の装置が前記第１のミリ波信号の受信後に前記第１の装置にフィードバック情報を送信する前記ステップは、
前記第２の装置が、前記第１のミリ波信号の受信後に、前記検索角度によって示される前記方向に第２のミリ波信号を送信するステップであって、そうして、前記第１の装置が前記検索角度によって示される前記方向から前記第２のミリ波信号を受信した後に、前記検索角度によって示される前記方向において前記第２の装置とのミリ波フェーズドアレイ・ビームアライメントを実施することを決定できるようにし、前記第２のミリ波信号は高周波ミリ波信号である、ステップ、
を有する。
【００２４】
前述の第４の態様および／または第１の可能な実施方式に関して、第２の可能な実施方式では、前記第２の装置が前記第１のミリ波信号の受信後に前記第１の装置にフィードバック情報を送信する前記ステップは、
前記第２の装置が、前記第１のミリ波信号の受信後に、前記低帯域通信リンクを介して前記第１の装置に前記フィードバック情報を送信するステップであって、前記フィードバック情報は、前記第２の装置が前記検索角度によって示される前記方向から前記第１のミリ波信号を受信したことを示すのに用いられる、ステップ、
を有する。
【００２５】
前述の第４の態様および／または第１の可能な実施方式および／または第２の可能な実施方式に関して、第３の可能な実施方式では、複数の検索角度が決定される場合、前記フィードバック情報は、前記第２の装置によって受信された前記第１のミリ波信号のビーム方向情報を含み、そうして、前記第１の装置が前記フィードバック情報の受信後に、前記フィードバック情報に含まれる前記第１のミリ波信号のビーム方向において前記第２の装置とのミリ波フェーズドアレイ・ビームアライメントを実施することを決定できるようにする。
【００２６】
前述の第４の態様および／または第１の可能な実施方式および／または第２の可能な実施方式および／または第３の可能な実施方式に関して、第４の可能な実施方式では、第２の装置が低帯域通信リンクを介して第１の装置と通信して検索角度を決定する前記ステップの前に、前記方法は、
前記第２の装置と前記第１の装置との距離が距離閾値以下である場合、前記第２の装置が、前記第１の装置によって送信される広ビームミリ波信号を受信するステップであって、前記広ビームミリ波信号は高周波ミリ波信号である、ステップと、
前記第２の装置が、前記広ビームミリ波信号の受信後、前記第１の装置に信号帰属情報を送信するステップであって、前記信号帰属情報は、前記第２の装置によって受信された前記広ビームミリ波信号が属する前記第１の装置のアンテナセクターを含み、そうして、前記第１の装置が前記アンテナセクターによって示される角度範囲を検索範囲として決定できるようにする、ステップと、
を更に有し、
第２の装置が低帯域通信リンクを介して第１の装置と通信して検索角度を決定する前記ステップは、特に、
前記第２の装置が、前記低帯域通信リンクを介して前記第１の装置と通信して、前記検索範囲内で前記検索角度を決定するステップである。
【００２７】
前述の第４の態様および／または第１の可能な実施方式および／または第２の可能な実施方式および／または第３の可能な実施方式および／または第４の可能な実施方式に関して、第５の可能な実施方式では、第２の装置が低帯域通信リンクを介して第１の装置と通信して検索角度を決定する前記ステップの前に、前記方法は、
前記第２の装置が、前記低帯域通信リンクを介して前記第１の装置に前記第２の装置の高度情報を送信するステップであって、そうして、前記第１の装置が、前記第１の装置の高度情報および前記第２の装置の前記高度情報に従って検索範囲を決定できるようにする、ステップ、
を更に有し、
第２の装置が低帯域通信リンクを介して第１の装置と通信して検索角度を決定する前記ステップは、特に、
前記第２の装置が、前記低帯域通信リンクを介して前記第１の装置と通信して、前記検索範囲内で前記検索角度を決定するステップである。
【００２８】
第５の態様によれば、ミリ波フェーズドアレイ・ビームアライメント方法が提供される。該方法は、
第２の装置が、第１の装置によって送信されるミリ波信号を受信するステップであって、前記ミリ波信号は高周波ミリ波信号である、ステップと、
前記第２の装置が、前記ミリ波信号の受信後に、低帯域通信リンクを介して前記第１の装置にフィードバック情報を送信するステップであって、前記フィードバック情報は、前記第２の装置が前記第１の装置によって送信された前記ミリ波信号を受信したことを示すのに用いられ、そうして、前記第１の装置が前記フィードバック情報の受信後に、前記ミリ波信号の送信方向において前記第２の装置とのミリ波フェーズドアレイ・ビームアライメントを実施することを決定できるようにする、ステップと、
を有する。
【００２９】
前述の第５態様に関して、第１の可能な実施方式では、前記フィードバック情報は、前記第２の装置によって受信された前記ミリ波信号のビーム方向情報を含み、そうして、前記第１の装置が前記フィードバック情報の受信後に、前記フィードバック情報に含まれる前記ミリ波信号のビーム方向において前記第２の装置とのミリ波フェーズドアレイ・ビームアライメントを実施することを決定できるようにする。
【００３０】
前述の第５の態様および／または第１の可能な実施方式に関して、第２の可能な実施方式では、第２の装置が第１の装置によって送信されるミリ波信号を受信する前記ステップの前に、前記方法は、
前記第２の装置と前記第１の装置との距離が距離閾値以下である場合、前記第２の装置が、前記第１の装置によって送信される広ビームミリ波信号を受信するステップであって、前記広ビームミリ波信号は高周波ミリ波信号である、ステップと、
前記第２の装置が、前記広ビームミリ波信号の受信後、前記第１の装置に信号帰属情報を送信するステップであって、前記信号帰属情報は、前記第２の装置によって受信された前記広ビームミリ波信号が属する前記第１の装置のアンテナセクターを含み、そうして、前記第１の装置が前記アンテナセクターによって示される角度範囲を検索範囲として決定できるようにする、ステップと、
を更に有し、
第２の装置が第１の装置によって送信されるミリ波信号を受信する前記ステップは、特に、
前記第２の装置が、前記検索範囲内で、前記第１の装置によって送信される前記ミリ波信号を受信するステップである。
【００３１】
前述の第１の態様および／または第１の可能な実施方式および／または第２の可能な実施方式に関して、第３の可能な実施方式では、第２の装置が第１の装置によって送信されるミリ波信号を受信する前記ステップの前に、前記方法は、
前記第２の装置が、前記低帯域通信リンクを介して前記第１の装置に前記第２の装置の高度情報を送信するステップであって、そうして、前記第１の装置が、前記第１の装置の高度情報および前記第２の装置の前記高度情報に従って検索範囲を決定できるようにする、ステップ、
を更に有し、
第２の装置が第１の装置によって送信されるミリ波信号を受信する前記ステップは、特に、
前記第２の装置が、前記検索範囲内で、前記第１の装置によって送信される前記ミリ波信号を受信するステップである。
【００３２】
第６の態様によれば、ミリ波フェーズドアレイ・ビームアライメント方法が提供される。該方法は、
第２の装置が、決定された検索範囲内で第１の装置によって送信された第１のミリ波信号を受信するステップと、
前記第２の装置が、前記第１のミリ波信号の受信後に第２のミリ波信号を送信するステップであって、そうして、前記第１の装置が前記第２のミリ波信号の受信後に、前記第２のミリ波信号が受信された方向において前記第２の装置とのミリ波フェーズドアレイ・ビームアライメントを実施することを決定できるようにし、前記第１のミリ波信号と前記第２のミリ波信号の両方は高周波ミリ波信号である、ステップと、
を有する。
【００３３】
前述の第６の態様に関して、第１の可能な実施方式では、第２の装置が決定された検索範囲内で第１の装置によって送信された第１のミリ波信号を受信する前記ステップの前に、前記方法は、
前記第２の装置と前記第１の装置との距離が距離閾値以下である場合、前記第２の装置が、前記第１の装置によって送信される広ビームミリ波信号を受信するステップであって、前記広ビームミリ波信号は高周波ミリ波信号である、ステップと、
前記第２の装置が、前記広ビームミリ波信号の受信後、前記第１の装置に信号帰属情報を送信するステップであって、前記信号帰属情報は、前記第２の装置によって受信された前記広ビームミリ波信号が属する前記第１の装置のアンテナセクターを含み、そうして、前記第１の装置が、前記アンテナセクターによって示される角度範囲を前記検索範囲として決定できるようにする、ステップと、
を更に有する。
【００３４】
前述の第６の態様および／または第１の可能な実施方式に関して、第２の可能な実施方式では、第２の装置が決定された検索範囲内で第１の装置によって送信された第１のミリ波信号を受信する前記ステップの前に、前記方法は、
前記第２の装置が、低帯域通信リンクを介して前記第１の装置に前記第２の装置の高度情報を送信するステップであって、そうして、前記第１の装置が、前記第１の装置の高度情報および前記第２の装置の前記高度情報に従って前記検索範囲を決定できるようにする、ステップ、
を更に有する。
【００３５】
第７の態様によれば、通信装置が提供される。該通信装置は、
低帯域通信リンクを介して第２の装置と通信して、検索角度を決定するように構成される角度決定ユニットと、
前記検索角度によって示される方向に第１のミリ波信号を送信して、前記第２の装置を検索するように構成される信号送信ユニットであって、前記第１のミリ波信号は高周波ミリ波信号である、信号送信ユニットと、
前記第２の装置によって送信されるフィードバック情報を受信するように構成される信号受信ユニットであって、前記第２の装置は前記検索角度によって示される前記方向から前記第１のミリ波信号を受信した後に前記フィードバック情報を送信する、信号受信ユニットと、
前記信号受信ユニットが前記フィードバック情報を受信した後に、前記検索角度によって示される前記方向において前記第２の装置とのミリ波フェーズドアレイ・ビームアライメントを実施することを決定するように構成されるアライメントユニットと、
を備える。
【００３６】
前述の第７の態様に関して、第１の可能な実施方式では、前記信号受信ユニットは、特に、前記検索角度によって示される前記方向から、前記第２の装置により前記検索角度によって示される前記方向に送信される第２のミリ波信号を受信するように構成され、前記第２の装置は、前記検索角度によって示される前記方向から前記第１のミリ波信号を受信した後に前記第２のミリ波信号を送信し、前記第２のミリ波信号は高周波ミリ波信号であり、
前記アライメントユニットは、特に、前記信号受信ユニットが前記第２のミリ波信号を受信した後に、前記検索角度によって示される前記方向において前記第２の装置とのミリ波フェーズドアレイ・ビームアライメントを実施することを決定するように構成される。
【００３７】
前述の第７の態様および／または第１の可能な実施方式に関して、第２の可能な実施方式では、前記信号受信ユニットは、特に、前記低帯域通信リンクを介して、前記第２の装置によって送信される前記フィードバック情報を受信するように構成される。前記フィードバック情報は、前記第２の装置が前記検索角度によって示される前記方向から前記第１のミリ波信号を受信したことを示すのに用いられる。
【００３８】
前述の第７の態様および／または第１の可能な実施方式および／または第２の可能な実施方式に関して、前記角度決定ユニットにより複数の検索角度が決定される場合、前記信号受信ユニットによって受信される前記フィードバック情報は、前記第２の装置によって受信される前記第１のミリ波信号のビーム方向情報を含み、
前記アライメントユニットは、特に、前記信号受信ユニットが前記フィードバック情報を受信した後に、前記フィードバック情報に含まれる前記第１のミリ波信号のビーム方向において前記第２の装置とのミリ波フェーズドアレイ・ビームアライメントを実施することを決定するように構成される。
【００３９】
前述の第７の態様および／または第１の可能な実施方式および／または第２の可能な実施方式および／または第３の可能な実施方式に関して、第４の可能な実施方式では、前記通信装置は、第１の範囲決定ユニットを更に備え、
前記第１の範囲決定ユニットは、前記角度決定ユニットが前記低帯域通信リンクを介して前記第２の装置と通信して前記検索角度を決定する前に、前記通信装置と前記第２の装置との距離が距離閾値以下である場合、広ビームミリ波信号を送信して前記第２の装置を検索するように構成され、前記広ビームミリ波信号は高周波ミリ波信号であり、また、前記第２の装置によって送信される信号帰属情報を受信するように構成され、前記信号帰属情報は、前記第２の装置によって受信された前記広ビームミリ波信号が属する前記通信装置のアンテナセクターを含み、また、前記アンテナセクターによって示される角度範囲を検索範囲として決定するように構成され、
前記角度決定ユニットは、特に、前記低帯域通信リンクを介して前記第２の装置と通信して、前記検索範囲内で前記検索角度を決定するように構成される。
【００４０】
前述の第７の態様および／または第１の可能な実施方式および／または第２の可能な実施方式および／または第３の可能な実施方式および／または第４の可能な実施方式に関して、第５の可能な実施方式では、前記通信装置は、
前記角度決定ユニットが前記低帯域通信リンクを介して前記第２の装置と通信して、前記検索角度を決定する前に、前記低帯域通信リンクを介して前記第２の装置の高度情報を受信するように構成される高度情報受信ユニットと、
前記第１の装置の高度情報および前記第２の装置の前記高度情報に従って、検索範囲を決定するように構成される第２の範囲決定ユニットと、
を更に備え、
前記角度決定ユニットは、特に、前記低帯域通信リンクを介して前記第２の装置と通信して、前記検索範囲内で前記検索角度を決定するように構成される。
【００４１】
第８の態様によれば、通信装置が提供される。該通信装置は、
ミリ波信号を送信して第２の装置を検索するように構成される信号送信ユニットと、
低帯域通信リンクを介して前記第２の装置によって送信されるフィードバック情報を受信するように構成される信号受信ユニットであって、前記フィードバック情報は、前記第２の装置が前記通信装置によって送信された前記ミリ波信号を受信したことを示すのに用いられ、前記ミリ波信号は高周波ミリ波信号である、信号受信ユニットと、
前記信号受信ユニットが前記フィードバック情報を受信した後に、前記ミリ波信号の送信方向において前記第２の装置とのミリ波フェーズドアレイ・ビームアライメントを実施することを決定するように構成されるアライメントユニットと、
を備える。
【００４２】
前述の第８の態様に関して、第１の可能な実施方式では、前記信号送信ユニットがミリ波信号を複数の送信方向に送信して前記第２の装置を検索する場合、前記信号受信ユニットによって受信される前記フィードバック情報は、前記第２の装置によって受信された前記ミリ波信号のビーム方向情報を含み、
前記アライメントユニットは、特に、前記信号受信ユニットが前記フィードバック情報を受信した後に、前記フィードバック情報に含まれる前記ミリ波信号のビーム方向において前記第２の装置とのミリ波フェーズドアレイ・ビームアライメントを実施することを決定するように構成される。
【００４３】
前述の第８の態様および／または第１の可能な実施方式に関して、第２の可能な実施方式では、前記通信装置は第１の範囲決定ユニットを更に備え、
前記第１の範囲決定ユニットは、前記信号送信ユニットが前記ミリ波信号を送信して前記第２の装置を検索する前に、前記通信装置と前記第２の装置との距離が距離閾値以下である場合、広ビームミリ波信号を送信して前記第２の装置を検索するように構成され、前記広ビームミリ波信号は高周波ミリ波信号であり、また、前記第２の装置によって送信される信号帰属情報を受信するように構成され、前記信号帰属情報は、前記第２の装置によって受信された前記広ビームミリ波信号が属する前記通信装置のアンテナセクターを含み、また、前記アンテナセクターによって示される角度範囲を検索範囲として決定するように構成され、
前記信号送信ユニットは、特に、前記検索範囲内で前記ミリ波信号を送信して前記第２の装置を検索するように構成される。
【００４４】
前述の第８の態様および／または第１の可能な実施方式および／または第２の可能な実施方式に関して、第３の可能な実施方式では、前記通信装置は、
前記信号送信ユニットが前記ミリ波信号を送信して前記第２の装置を検索する前に、前記低帯域通信リンクを介して前記第２の装置の高度情報を受信するように構成される高度情報受信ユニットと、
前記第１の装置の高度情報および前記第２の装置の前記高度情報に従って、検索範囲を決定するように構成される第２の範囲決定ユニットと、
を更に備え、
前記信号送信ユニットは、特に、前記検索範囲内で前記ミリ波信号を送信して前記第２の装置を検索するように構成される。
【００４５】
第９の態様によれば、通信装置が提供される。該通信装置は、
第２の装置が検索される検索範囲を決定するように構成される範囲決定ユニットと、
前記検索範囲内で第１のミリ波信号を送信して前記第２の装置を検索するように構成される信号送信ユニットと、
前記第２の装置によって送信される第２のミリ波信号を受信するように構成される信号受信ユニットであって、前記第２の装置は前記第１のミリ波信号の受信後に前記第２のミリ波信号を送信する、信号受信ユニットと、
前記第２のミリ波信号が受信された後に、前記第２のミリ波信号が受信された方向において前記第２の装置とのミリ波フェーズドアレイ・ビームアライメントを実施することを決定するように構成されるアライメントユニットと、
を備え、
前記第１のミリ波信号と前記第２のミリ波信号の両方は、高周波ミリ波信号である。
【００４６】
前述の第９の態様に関して、第１の可能な実施方式では、前記範囲決定ユニットは、特に、前記通信装置と前記第２の装置との距離が距離閾値以下である場合、広ビームミリ波信号を送信して前記第２の装置を検索するように構成され、前記広ビームミリ波信号は高周波ミリ波信号であり、また、前記第２の装置によって送信される信号帰属情報を受信するように構成され、前記信号帰属情報は、前記第２の装置によって受信された前記広ビームミリ波信号が属する前記通信装置のアンテナセクターを含み、また、前記アンテナセクターによって示される角度範囲を前記検索範囲として決定するように構成される。
【００４７】
前述の第９の態様および／または第１の可能な実施方式に関して、第２の可能な実施方式では、前記範囲決定ユニットは、
低帯域通信リンクを介して前記第２の装置の高度情報を受信するように構成される受信サブユニットと、
前記通信装置の高度情報および前記第２の装置の前記高度情報に従って、前記検索範囲を決定するように構成される決定サブユニットと、
を有する。
【００４８】
第１０の態様によれば、通信装置が提供される。該通信装置は、
低帯域通信リンクを介して第１の装置と通信して、検索角度を決定するように構成される角度決定ユニットと、
前記検索角度によって示される方向から、前記第１の装置によって送信される第１のミリ波信号を受信するように構成される信号受信ユニットであって、前記第１のミリ波信号は高周波ミリ波信号である、信号受信ユニットと、
前記信号受信ユニットが前記第１のミリ波信号を受信した後に、前記第１の装置にフィードバック情報を送信するように構成されるフィードバックユニットであって、そうして、前記第１の装置が前記フィードバック情報の受信後に、前記検索角度によって示される前記方向において前記通信装置とのミリ波フェーズドアレイ・ビームアライメントを実施することを決定できるようにする、フィードバックユニットと、
を備える。
【００４９】
前述の第１０の態様に関して、第１の可能な実施方式では、前記フィードバックユニットは、特に、前記信号受信ユニットが前記第１のミリ波信号を受信した後に、前記検索角度によって示される前記方向に第２のミリ波信号を送信するように構成され、そうして、前記第１の装置が前記検索角度によって示される前記方向から前記第２のミリ波信号を受信した後に、前記検索角度によって示される前記方向において前記通信装置とのミリ波フェーズドアレイ・ビームアライメントを実施することを決定できるようにする。前記第２のミリ波信号は高周波ミリ波信号である。
【００５０】
前述の第１０の態様および／または第１の可能な実施方式に関して、第２の可能な実施方式では、前記フィードバックユニットは、特に、前記信号受信ユニットが前記第１のミリ波信号を受信した後に、前記低帯域通信リンクを介して前記第１の装置に前記フィードバック情報を送信するように構成される。前記フィードバック情報は、前記通信装置が前記検索角度によって示される前記方向から前記第１のミリ波信号を受信したことを示すのに用いられる。
【００５１】
前述の第１０の態様および／または第１の可能な実施方式および／または第２の可能な実施方式に関して、第３の可能な実施方式では、前記角度決定ユニットにより複数の検索角度が決定される場合、前記フィードバック情報は、前記信号受信ユニットによって受信された前記第１のミリ波信号のビーム方向情報を含み、そうして、前記第１の装置が前記フィードバック情報の受信後に、前記フィードバック情報に含まれる前記第１のミリ波信号のビーム方向において前記通信装置とのミリ波フェーズドアレイ・ビームアライメントを実施することを決定できるようにする。
【００５２】
前述の第１０の態様および／または第１の可能な実施方式および／または第２の可能な実施方式および／または第３の可能な実施方式に関して、第４の可能な実施方式では、前記信号受信ユニットは更に、前記角度決定ユニットが前記低帯域通信リンクを介して前記第１の装置と通信して前記検索角度を決定する前に、前記通信装置と前記第１の装置との距離が距離閾値以下である場合、前記第１の装置によって送信される広ビームミリ波信号を受信するように構成され、前記広ビームミリ波信号は高周波ミリ波信号であり、
前記フィードバックユニットは更に、前記信号受信ユニットが前記広ビームミリ波信号を受信した後に、前記第１の装置に信号帰属情報を送信するように構成され、前記信号帰属情報は、前記通信装置によって受信された前記広ビームミリ波信号が属する前記第１の装置のアンテナセクターを含み、そうして、前記第１の装置が前記アンテナセクターによって示される角度範囲を検索範囲として決定できるようにし、
前記角度決定ユニットは、特に、前記低帯域通信リンクを介して前記第１の装置と通信して、前記検索範囲内で前記検索角度を決定するように構成される。
【００５３】
前述の第１０の態様および／または第１の可能な実施方式および／または第２の可能な実施方式および／または第３の可能な実施方式および／または第４の可能な実施方式に関して、第５の可能な実施方式では、前記通信装置は高度情報送信ユニットを更に備え、
前記高度情報送信ユニットは、前記角度決定ユニットが前記低帯域通信リンクを介して前記第１の装置と通信して前記検索角度を決定する前に、前記低帯域通信リンクを介して前記第１の装置に前記通信装置の高度情報を送信するように構成され、そうして、前記第１の装置が、前記第１の装置の高度情報および前記通信装置の前記高度情報に従って検索範囲を決定できるようにし、
前記角度決定ユニットは、特に、前記低帯域通信リンクを介して前記第１の装置と通信して、前記検索範囲内で前記検索角度を決定するように構成される。
【００５４】
第１１の態様によれば、通信装置が提供される。該通信装置は、
第１の装置によって送信されるミリ波信号を受信するように構成される信号受信ユニットであって、前記ミリ波信号は高周波ミリ波信号である、信号受信ユニットと、
前記信号受信ユニットが前記ミリ波信号を受信した後に、低帯域通信リンクを介して前記第１の装置にフィードバック情報を送信するように構成されるフィードバックユニットであって、前記フィードバック情報は、前記通信装置が前記第１の装置によって送信された前記ミリ波信号を受信したことを示すのに用いられ、そうして、前記第１の装置が前記フィードバック情報の受信後に、前記ミリ波信号の送信方向において前記通信装置とのミリ波フェーズドアレイ・ビームアライメントを実施することを決定できるようにする、フィードバックユニットと、
を備える。
【００５５】
前述の第１１の態様に関して、第１の可能な実施方式では、前記フィードバック情報は、前記通信装置によって受信された前記ミリ波信号のビーム方向情報を含み、そうして、前記第１の装置が前記フィードバック情報の受信後に、前記フィードバック情報に含まれる前記ミリ波信号のビーム方向において前記通信装置とのミリ波フェーズドアレイ・ビームアライメントを実施することを決定できるようにする。
【００５６】
前述の第１１の態様および／または第１の可能な実施方式に関して、第２の可能な実施方式では、前記信号受信ユニットは更に、前記第１の装置によって送信される前記ミリ波信号が受信される前に、前記通信装置と前記第１の装置との距離が距離閾値以下である場合、前記第１の装置によって送信される広ビームミリ波信号を受信するように構成され、前記広ビームミリ波信号は高周波ミリ波信号であり、
前記フィードバックユニットは更に、前記信号受信ユニットが前記広ビームミリ波信号を受信した後に、前記第１の装置に信号帰属情報を送信するように構成され、前記信号帰属情報は、前記通信装置によって受信された前記広ビームミリ波信号が属する前記第１の装置のアンテナセクターを含み、そうして、前記第１の装置が前記アンテナセクターによって示される角度範囲を検索範囲として決定できるようにし、
前記信号受信ユニットは、特に、前記検索範囲内で、前記第１の装置によって送信される前記ミリ波信号を受信するように構成される。
【００５７】
前述の第１１の態様および／または第１の可能な実施方式および／または第２の可能な実施方式に関して、第３の可能な実施方式では、前記通信装置は更に高度情報送信ユニットを備え、
前記高度情報送信ユニットは、前記信号受信ユニットが前記第１の装置によって送信される前記ミリ波信号を受信する前に、前記低帯域通信リンクを介して前記第１の装置に前記通信装置の高度情報を送信するように構成され、そうして、前記第１の装置が、前記第１の装置の高度情報および前記通信装置の前記高度情報に従って検索範囲を決定できるようにし、
前記信号受信ユニットは、特に、前記検索範囲内で、前記第１の装置によって送信される前記ミリ波信号を受信するように構成される。
【００５８】
第１２の態様によれば、通信装置が提供される。該通信装置は、
決定された検索範囲内で第１の装置によって送信された第１のミリ波信号を受信するように構成される信号受信ユニットと、
前記信号受信ユニットが前記第１のミリ波信号を受信した後に、第２のミリ波信号を送信するように構成される信号送信ユニットであって、そうして、前記第１の装置が前記第２のミリ波信号の受信後に、前記第２のミリ波信号が受信された方向において前記通信装置とのミリ波フェーズドアレイ・ビームアライメントを実施することを決定できるようにし、前記第１のミリ波信号と前記第２のミリ波信号の両方は高周波ミリ波信号である、信号送信ユニットと、
を備える。
【００５９】
前述の第１２の態様に関して、第１の可能な実施方式では、前記信号受信ユニットは更に、前記決定された検索範囲内で前記第１の装置によって送信された前記第１のミリ波信号が受信される前に、前記通信装置と前記第１の装置との距離が距離閾値以下である場合、前記第１の装置によって送信される広ビームミリ波信号を受信するように構成され、前記広ビームミリ波信号は高周波ミリ波信号であり、
前記信号送信ユニットは更に、前記信号受信ユニットが前記広ビームミリ波信号を受信した後に、前記第１の装置に信号帰属情報を送信するように構成され、前記信号帰属情報は、前記通信装置によって受信された前記広ビームミリ波信号が属する前記第１の装置のアンテナセクターを含み、そうして、前記第１の装置が前記アンテナセクターによって示される角度範囲を前記検索範囲として決定できるようにする。
【００６０】
前述の第１２の態様および／または第１の可能な実施方式に関して、第２の可能な実施方式では、前記通信装置は更に高度情報送信ユニットを備え、
前記高度情報送信ユニットは、前記信号受信ユニットが前記決定された検索範囲内で前記第１の装置によって送信された前記第１のミリ波信号を受信する前に、前記低帯域通信リンクを介して前記第１の装置に前記通信装置の高度情報を送信するように構成され、そうして、前記第１の装置が、前記第１の装置の高度情報および前記通信装置の前記高度情報に従って前記検索範囲を決定できるようにする。
【００６１】
第１３の態様によれば、前述の第７の態様に係る通信装置と前述の第１０の態様に係る通信装置とを備える、ミリ波フェーズドアレイ・ビームアライメントシステムが提供される。
【００６２】
第１４の態様によれば、前述の第８の態様に係る通信装置と前述の第１１の態様に係る通信装置とを備える、ミリ波フェーズドアレイ・ビームアライメントシステムが提供される。
【００６３】
第１５の態様によれば、前述の第９の態様に係る通信装置と前述の第１２の態様に係る通信装置とを備える、ミリ波フェーズドアレイ・ビームアライメントシステムが提供される。
【００６４】
本発明の実施形態では、装置の２．４ＧＨｚや５ＧＨｚといった低周波帯域を補助通信リンクとして用いて検索角度が決定され、そうして、第１の装置および第２の装置は、検索角度に従って送受信協調によるビーム検索プロセスを実行し、ミリ波フェーズドアレイ・ビームアライメントが実施される。本方法によれば、ビーム検索の盲目性が低減され、ビームスキャン回数が著しく低減される。それにより、フェーズドアレイ・ビームアライメント効率が改善され、６０ＧＨｚ等のミリ波周波数帯域において通信リンクの確立に要する時間が短縮され、装置の電力消費が低減され、ユーザーエクスペリエンスが向上する。
【図面の簡単な説明】
【００６５】
本発明の実施形態または従来技術における技術的構成をより明確に説明するために、以下、実施形態または従来技術の説明に必要な添付の図面を簡単に紹介する。明らかに、当該技術分野の当業者であれば、創造努力なしに、これらの添付の図面から他の図面を導出することができる。
【図１】本発明の実施形態に係るミリ波フェーズドアレイ・ビームアライメント方法のフローチャートである。
【図２ａ】本発明の実施形態に係る検索角度の決定の概略図である。
【図２ｂ】本発明の実施形態に係る、送受信協調方法に従う検索の概略図である。
【図２ｃ】本発明の実施形態に係る、粗定位による検索範囲の決定の概略図である。
【図２ｄ】本発明の実施形態に係る、粗定位と送受信協調と応答との組合わせの方法を用いる検索の概略図である。
【図３】本発明の実施形態に係る検索範囲を決定する方法のフローチャートである。
【図４】本発明の実施形態に係る別のミリ波フェーズドアレイ・ビームアライメント方法のフローチャートである。
【図５ａ】本発明の実施形態に係る別のミリ波フェーズドアレイ・ビームアライメント方法のフローチャートである。
【図５ｂ】本発明の実施形態に係る、粗定位による検索の概略図である。
【図６】本発明の実施形態に係る別のミリ波フェーズドアレイ・ビームアライメント方法のフローチャートである。
【図７】本発明の実施形態に係る別のミリ波フェーズドアレイ・ビームアライメント方法のフローチャートである。
【図８】本発明の実施形態に係る別のミリ波フェーズドアレイ・ビームアライメント方法のフローチャートである。
【図９】本発明の実施形態に係る通信装置の概略構造図である。
【図１０】本発明の実施形態に係る別の通信装置の概略構造図である。
【図１１】本発明の実施形態に係る別の通信装置の概略構造図である。
【図１２】本発明の実施形態に係る別の通信装置の概略構造図である。
【図１３】本発明の実施形態に係る別の通信装置の概略構造図である。
【図１４】本発明の実施形態に係る別の通信装置の概略構造図である。
【発明を実施するための形態】
【００６６】
当該技術分野の当業者が本発明の実施形態における技術的構成をより理解できるようにし、本発明の実施形態の目的、特徴および利点をより明確にするために、以下、添付の図面を参照して、本発明の実施形態における技術的構成を更に詳細に説明する。
【００６７】
図１を参照する。図１は、本発明の実施形態に係るミリ波フェーズドアレイ・ビームアライメント方法のフローチャートである。
【００６８】
ステップ１０１：第１の装置は、低帯域通信リンクを介して第２の装置と通信して、検索角度を決定する。
【００６９】
第１の装置はフェーズドアレイアンテナ装置であってよく、第２の装置は、第１の装置とアラインされる必要のある別のフェーズドアレイアンテナ装置である。まず、２つの装置は、２．４ＧＨｚ／５ＧＨｚ周波数帯域の通信リンク等の低帯域通信リンクを介して互いに通信して、検索およびアライメントが実行される検索角度を決定する。検索角度は、水平方向または垂直方向に対して時計回りまたは反時計回りに形成される角度であってよい。
【００７０】
例えば、図２ａに示されるように、第１の装置はノートブック型コンピューター２１であり、第２の装置はプロジェクター２２である。２つの装置は、低帯域通信リンクを介して互いに通信して、図２ａに示される∠１のような検索角度を決定する。
【００７１】
ステップ１０２：第１の装置は、ステップ１０１で決定された検索角度によって示される方向に第１のミリ波信号を送信して、第２の装置を検索する。
【００７２】
第１の装置は、図２ａの∠１のような、前のステップで決定された検索角度に従って第１のミリ波信号を送信する。また、検索角度によって示される方向は、検索角度の１辺が位置する方向である。検索角度が水平方向に対する場合、検索角度によって示される方向は、水平方向と共に角を形成する辺が位置する方向であってよい。
【００７３】
本発明の本実施形態において、ミリ波は狭ビームであってよく、ミリ波の周波数は、限定ではないが６０ＧＨｚであってよい。本発明の本実施形態において、全てのミリ波信号（第１のミリ波信号、第２のミリ波信号、広ビームミリ波信号を含む）は高周波ミリ波信号である。第１のミリ波信号と第２のミリ波信号とは同じ周波数の信号であってよく、広ビームミリ波信号は、第１のミリ波信号と同じ周波数をもつ信号であってよい。「第１」および「第２」は、異なる装置によって送信されるミリ波信号を区別するために用いられ、具体的な参照番号ではない。
【００７４】
２つの装置を結ぶ線と水平方向との間の角の対称性に従い、第１の装置が∠１に従って信号を送信する場合、第２の装置も検索角度に従って第１のミリ波信号の受信を開始する。第２の装置が∠１の方向に位置するか否かに関係なく、第２の装置は、∠１の方向から信号を受信する必要がある。第２の装置がちょうど第１のミリ波信号の送信方向に位置する場合、第２の装置は第１のミリ波信号を受信することができる。この場合、第２の装置は、第１の装置にフィードバック情報を送信する。第２の装置が第１のミリ波信号の送信方向に位置しない場合、第２の装置は、決定された検索角度から第１のミリ波信号を受信することができず、第２の装置は第１の装置にフィードバック情報を送信しない。
【００７５】
図２ａに示されるように、プロジェクター２２とノートブック型コンピューター２１とを結ぶ線と水平方向との間の角がちょうど∠１である場合、プロジェクター２２は、∠１の方向から、ノートブック型コンピューター２１によって送信された第１のミリ波信号を受信することができる。この場合、プロジェクター２２はノートブック型コンピューター２１にフィードバック情報を送信する。プロジェクター２２とノートブック型コンピューター２１とを結ぶ線と水平方向との間の角が∠２である場合、プロジェクター２２は、∠１の方向から、ノートブック型コンピューター２１によって送信された第１のミリ波信号を受信することができない。この場合、プロジェクター２２はノートブック型コンピューター２１にフィードバック情報を送信しない。
【００７６】
２つの装置のフェーズドアレイアンテナの面は、検索角度を決定するために平行である。面が平行でない場合、装置内部の垂直角度センサーを用いて、アンテナ面の間の角度が補正されてよい。
【００７７】
第１の装置が第２の装置を検索するプロセスにおいて、第１のミリ波信号の送信後、第１の装置が第２の装置からフィードバック情報を受信しない場合、検索により第２の装置が見つからないことが示される。方法は次の通りである。別の検索角度を決定するためにステップ１０１が再実行されてよく、それから第２の装置からフィードバック情報が受信されるまでステップ１０２が再実行され、検索によって第２の装置が発見される。別の方法は次の通りである。前のステップ１０１において、第１の装置および第２の装置は複数の検索角度を決定してよく、それからステップ１０２において、第１の装置は、第２の装置からのフィードバック情報が受信されるまで、特定の角度順序に従って１つずつミリ波信号を送信し、検索によって第２の装置が発見される。
【００７８】
ステップ１０３：第１の装置は、第２の装置によって送信されるフィードバック情報を受信する。第２の装置は、検索角度によって示される方向の第１のミリ波信号を受信した後に、フィードバック情報を送信する。
【００７９】
決定された検索角度によって示される方向から、第１の装置によって送信された第１のミリ波信号を受信した後、第２の装置は、第１の装置にフィードバック情報を送信する。
【００８０】
本発明の実施形態において、第１の装置が第２の装置によって送信されるフィードバック情報を受信するステップは、特に以下のようであってよい。
【００８１】
第１の装置は、検索角度に従って、検索角度から第２の装置によって送信された第２のミリ波信号を受信する。第２の装置は、検索角度から第１のミリ波信号を受信した後に、第２のミリ波信号を送信する。
【００８２】
また、この方式では、第２の装置が第１のミリ波信号を受信した後、第１の装置と第２の装置とが互いに役割を交換する。第２の装置が第１の装置に第２のミリ波信号を送信し、第１の装置の位置を決定するために検索プロセスが繰り返される。このプロセスは、従来技術のブラインドサーチプロセスにおける検索方式に類似する。
【００８３】
具体的な例では、図２ｂに示されるように、計算を容易にするために、ビーム覆域がＭ×Ｍ個のサブエリアで構成され、サブエリアの総量がＭ２であると仮定する。受信側と送信側の両方が同時に、１，２，３および４の順序に従って、水平サブエリアをスキャンおよび検索し、また、水平（または垂直）方向に従って、スキャンエリアをＭ個（例えば、図中ではＭ＝４）の角度に分割して、前述の方法に従って送受信協調を実行してよい。水平の角度を例にとる。層１〜４の各層にＭ個のスキャンエリアがある。各層において１回のスキャンおよび検索が実行されると、最大Ｍ２回が必要であり、Ｍ層では最大Ｍ３回の検索が必要となる。単一方向でのブラインドサーチの回数と比較して、検索回数はＭ分の１になる。
【００８４】
好ましくは、本発明の別の実施形態において、第１の装置が第２の装置によって送信されるフィードバック情報を受信するステップは、特に以下のようであってよい。
【００８５】
第１の装置は、２．４ＧＨｚ／５ＧＨｚ周波数帯域の通信リンク等の低帯域通信リンクを介して、第２の装置によって送信されたフィードバック情報を受信する。フィードバック情報は、第２の装置が決定された検索角度から第１のミリ波信号を受信したことを示すのに用いられる。
【００８６】
この方式では、第１の装置によって送信される第１のミリ波信号を受信した後に、第２の装置は、２．４ＧＨｚや５ＧＨｚの低周波帯域を用いて、すぐに第１の装置に応答信号を送信して、後続の無効なビーム検索プロセスを回避するために、第１の装置に検索プロセスを終了するように指示する。複数の検索角度が決定される場合、フィードバック情報すなわち応答信号は、∠１の番号のような、第１の装置によって送信され第２の装置によって受信される第１のミリ波信号のビーム方向番号を含んでよい。このように、第１の装置は、送信アンテナのどのビーム方向に第２の装置が位置するのかを知る。
【００８７】
先の方式において、第２の装置が応答フィードバックを行わずにこの情報を第１の装置を返さない場合、第２の装置と第１の装置は受信と送信の役割を互いに交換する必要があり、また、ビームスキャンおよび検索のプロセスを完了するために、ビーム指向情報が交換できる前に再度ビームスキャンを実行する必要がある。したがって、この方式によれば、第２の装置の応答方法において、スキャンおよび検索の回数の最大半分を削減することができる。それにより、フェーズドアレイ・ビームアライメント効率が改善される。
【００８８】
ステップ１０４：フィードバック情報の受信後、第１の装置は、検索角度によって示される方向において第２の装置とのミリ波フェーズドアレイ・ビームアライメントを実施することを決定する。
【００８９】
このステップでは、第１の装置が、検索角度によって示される方向から、第２の装置によって送信された第２のミリ波信号を受信する場合、第１の装置は、第１の装置が、検索角度によって示される方向において第２の装置とのミリ波フェーズドアレイ・ビームアライメントを実施できる、すなわち、第１の装置が第２のミリ波信号が受信された受信方向において第２の装置とアライメントされると決定することができる。
【００９０】
第１の装置が低帯域通信リンクを介して第２の装置によって送信されるフィードバック情報すなわち応答信号を受信し、応答信号が、第２の装置が検索角度から第１のミリ波信号を受信したことを示すのに用いられる情報を含む場合、第１の装置は、第１の装置が、検索角度によって示される方向において第２の装置とのミリ波フェーズドアレイ・ビームアライメントを実施できると知ることができる。第１の装置によって受信されたフィードバック情報が、第２の装置によって受信された第１のミリ波信号のビーム方向情報を含む場合、第１の装置は、フィードバック情報の受信後、フィードバック情報に含まれる第１のミリ波信号のビーム方向において第２の装置とのミリ波フェーズドアレイ・ビームアライメントを実施することを決定する。
【００９１】
本発明の本実施形態では、装置の２．４ＧＨｚや５ＧＨｚといった低周波帯域を補助通信リンクとして用いて検索角度が決定され、そうして、第１の装置および第２の装置は、検索角度に従って送受信協調によるビーム検索プロセスを実行し、ミリ波フェーズドアレイ・ビームアライメントが実施される。本方法によれば、ビーム検索の盲目性が低減され、ビームスキャン回数が著しく低減される。それにより、フェーズドアレイ・ビームアライメント効率が改善され、６０ＧＨｚ等のミリ波周波数帯域において通信リンクの確立に要する時間が短縮され、装置の電力消費が低減され、ユーザーエクスペリエンスが向上する。
【００９２】
本発明の別の実施形態において、第１の装置が低帯域通信リンクを介して第２の装置と通信して検索角度を決定する前に、第１の装置は更に、第２の装置の位置について予め粗定位を実行して、検索範囲を決定してよい。検索範囲は、検索角度が属する角度範囲のことをいう。検索範囲の決定のプロセスには、複数の方式があってよい。例えば、
方式１において、第１の装置と第２の装置との距離が距離閾値以下である場合、第１の装置は広ビームミリ波信号を送信して、第２の装置を検索し、本発明の本実施形態において、広ビームミリ波の周波数は、限定ではないが６０ＧＨｚであってよく、
第１の装置は、第２の装置によって送信される信号帰属情報を受信し、信号帰属情報は、第２の装置によって受信された広ビームミリ波信号が属する第１の装置のアンテナセクターを含み、
第１の装置は、アンテナセクターによって示される角度範囲を検索範囲として決定する。
【００９３】
第１の装置は、第１の装置のアンテナ覆域をいくつかの覆域エリア（セクター）に分割し、第１の装置は、これらのエリア（セクター）に別々に広ビームミリ波信号を送信する。この信号は、１，２，３等の、これらのエリア（セクター）の番号を含む。このようにして、この信号の受信後、第２の装置は、第２の装置によって受信された信号がどのセクターにおいて第１の装置によって送信されたのかを必然的に知り、それからこのセクターの番号を、低帯域通信リンクを介して第１の装置にフィードバックする。このようにして、第１の装置は、第２の装置がどのセクター覆域の範囲にあるのかを知る。
【００９４】
第１の装置と第２の装置との距離が距離閾値以下である場合、すなわち、第１の装置と第２の装置との距離が広ビーム間の有効通信距離の範囲内にある場合、２つの装置は、検索範囲を決定するために、より広いビームを用いたスキャンおよび検索により、互いの大まかな位置を見つけることができる。プロセスは従来技術におけるプロセスと類似するので、本明細書では詳細を繰り返さない。
【００９５】
方式２において、図３に示されるように、検索範囲の決定の方法は、以下のステップを含んでよい。
【００９６】
ステップ３０１：第１の装置は、低帯域通信リンクを介して第２の装置の高度情報を受信する。
【００９７】
装置高度および／または装置と地面との間の垂直角度は、第１の装置と第２の装置の両方に配置される高度センサーおよび／または垂直角度センサーまたは同様のものによって感知されてよく、更に、内蔵の高度情報レジスタ、装置タイプレジスタまたは同様のものによって感知されてよい。
【００９８】
高度情報保存レジスタは、装置の一般動作時の、屋内地面に対して該装置が位置する高度を保存するように構成される。高度は固定値であってよく、高度範囲であってもよい。高度は工場出荷時設定値であってよく、ユーザーによる変更および設定が可能であってもよい。
【００９９】
装置タイプレジスタは、ノートブック型コンピューター、テレビセット、携帯電話、プロジェクター等の装置タイプを示す番号を用いるように構成される。
【０１００】
第２の装置は、例えば高度情報保存レジスタから情報を読み出す等の方式で、第２の装置の高度情報を取得し、それから、２．４ＧＨｚまたは５ＧＨｚなどの低周波帯域を介して第１の装置に高度情報を送信してよい。
【０１０１】
ステップ３０２：第１の装置は、第１の装置の高度情報および第２の装置の高度情報に従って、検索範囲を決定する。
【０１０２】
第１の装置は、例えば高度情報保存レジスタから情報を読み出す等の方式で、第１の装置の高度情報を取得し、それから第１の装置は、第１の装置の高度情報および受信された第２の装置の高度情報に従って、２つの装置を結ぶ線の水平方向または垂直方向に対するおおよその角度を決定することができ、それにより、検索範囲を決定することができる。
【０１０３】
更に、第１の装置と第２の装置は、装置タイプやアンテナタイプ等の情報を互いに交換してよい。したがって、マスター検索装置とスレーブ検索装置とを決定することができる。例えば、前述の実施形態では、第１の装置がマスター検索装置であり、第２の装置がスレーブ検索装置である。もちろん、２つの装置は同等であってもよく、マスター検索装置とスレーブ検索装置とを区別する必要はない。
【０１０４】
前述の方式で検索範囲が決定された後、第１の装置は、低帯域通信リンクを介して第２の装置と通信して、検索範囲内で検索角度を決定する。
【０１０５】
本発明の本実施形態において、検索範囲は粗定位によって決定され、それにより、ビームスキャンおよび検索の範囲が更に絞り込まれ、ビームスキャンおよび検索の回数が低減される。それによって、通信リンクをより速く確立し、装置の電力消費を低減し、ユーザーエクスペリエンスを向上することができる。
【０１０６】
具体的な例では、図２ｃに示されるように、第１の装置の全検索角度はθであり、粗定位により、第２の装置が角度範囲θ１内に位置することが分かる。このように、第１の装置は小さな範囲θ１内でのみ狭ビームスキャンを実行する必要があり、それによって、検索範囲を絞り込みスキャン回数を低減する。
【０１０７】
本発明の本実施形態において、検索角度を決定する前述の方式、すなわち、第１の装置および第２の装置が送受信協調を行う方式と、第２の装置が低帯域通信リンクを介して応答を行う方式と、粗定位を用いて検索範囲を決定する方式と、従来技術のブラインドサーチ方式とは、例えば送受信協調、送受信協調と応答との組合わせ、粗定位と送受信協調との組合わせ、粗定位と送受信協調と応答との組合わせ等のように、要件に従ってランダムに組み合わされてよい。ここで再度詳細の説明はしない。詳細については、前述の実施形態の説明を参照されたい。
【０１０８】
好ましい実施形態では、図２ｄに示されるように、両方の通信装置が対応するハードウェア条件を有し、粗定位と送受信協調と応答との組合わせを採用する場合、本発明の最適または好ましい実施例を達成することができ、スキャンおよび検索の最大可能回数は、
【数１】
2016507980.tif 000003
である。
【０１０９】
図４を参照する。図４は、本発明の実施形態に係る別のミリ波フェーズドアレイ・ビームアライメント方法のフローチャートである。
【０１１０】
本発明の本実施形態と前述の実施形態との違いは、以下の通りである。すなわち、前述の実施形態は、送受信協調ならびに送受信協調と粗定位および／または応答との組合わせの観点から説明されたが、本発明の本実施形態は、主に応答と別の方式との組合わせの観点から説明される。
【０１１１】
本方法は、以下のステップを有してよい。
【０１１２】
ステップ４０１：第１の装置は、ミリ波信号を送信して第２の装置を検索する。
【０１１３】
第１の装置はフェーズドアレイアンテナ装置であり、第２の装置は、第１の装置とアラインされる必要のある別のフェーズドアレイアンテナ装置である。このステップでは、第１の装置は、ブラインドサーチ方式で複数の方向にミリ波信号を送信して、第２の装置を検索してよい。ミリ波信号の周波数は６０ＧＨｚであってよい。
【０１１４】
ステップ４０２：第１の装置は、低帯域通信リンクを介して第２の装置によって送信されたフィードバック情報を受信する。フィードバック情報は、第２の装置が第１の装置によって送信されたミリ波信号を受信したことを示すのに用いられる。
【０１１５】
該方向から第１の装置によって送信されたミリ波信号を受信した後、第２の装置は、２．４ＧＨｚや５ＧＨｚ等の低周波帯域を用いて第１の装置にフィードバック情報を送信して、応答を行う。フィードバック情報は、第２の装置が第１の装置によって送信されたミリ波信号を受信したことを示すのに用いられる。
【０１１６】
具体的には、第１の装置によって送信された第１のミリ波信号を受信した後に、第２の装置は、低周波帯域すなわち２．４ＧＨｚまたは５ＧＨｚを用いて、すぐに第１の装置に応答信号を送信して、後続の無効なビーム検索プロセスを回避するために、第１の装置に検索プロセスを終了するように指示する。応答信号は、図２ａに示される∠１の番号のような、第１の装置によって送信され第２の装置によって受信されるビーム方向番号を含んでよい。このように、第１の装置は、送信アンテナのどのビーム方向に第２の装置が位置するのかを知る。
【０１１７】
ステップ４０３：フィードバック情報の受信後、第１の装置は、ミリ波信号の送信方向において第２の装置とのミリ波フェーズドアレイ・ビームアライメントを実施することを決定する。
【０１１８】
前述のフィードバック情報すなわち応答信号を受信した後、第１の装置は、第１の装置がどの角度で第２の装置とのミリ波フェーズドアレイ・ビームアライメントを実施できるのかを知ることができる。
【０１１９】
第１の装置がミリ波信号を複数の送信方向に送信して第２の装置を検索する場合、フィードバック情報は、第２の装置によって受信されたミリ波信号のビーム方向情報を含む。第１の装置は、フィードバック情報の受信後、フィードバック情報に含まれるミリ波信号のビーム方向において第２の装置とのミリ波フェーズドアレイ・ビームアライメントを実施することを決定する。
【０１２０】
本発明の本実施形態では、第２の装置が第１の装置に対して応答フィードバックを行って、受信されたミリ波信号の関連情報を第１の装置に返す。これにより、第２の装置と第１の装置が送受信の役割を互いに交換し、ビームスキャンおよび検索を完了するためにビーム指向情報が交換できる前に再度ビームスキャンを実行する必要があるプロセスが省略される。したがって、この方式によれば、第２の装置の応答方法において、スキャンおよび検索の回数の最大半分を削減することができる。それにより、フェーズドアレイ・ビームアライメント効率が更に改善され、６０ＧＨｚ等のミリ波周波数帯域において通信リンクの確立に要する時間が短縮され、装置の電力消費が低減され、ユーザーエクスペリエンスが向上する。
【０１２１】
本発明の別の実施形態において、第１の装置がミリ波信号を送信して第２の装置についてブラインドサーチを実行する前に、第１の装置は更に、第２の装置の位置について予め粗定位を実行して、検索範囲を決定してよい。検索範囲の決定のプロセスには、複数の方式があってよい。例えば、
方式１において、第１の装置と第２の装置との距離が距離閾値以下である場合、第１の装置は広ビームミリ波信号を送信して、第２の装置を検索し、
第１の装置は、第２の装置によって送信される信号帰属情報を受信し、信号帰属情報は、第２の装置によって受信された広ビームミリ波信号が属する第１の装置のアンテナセクターを含み、
第１の装置は、アンテナセクターによって示される角度範囲を検索範囲として決定する。
【０１２２】
方式２において、検索範囲を決定する方法は以下を含んでよい。
【０１２３】
第１の装置が、低帯域通信リンクを介して第２の装置の高度情報を受信し、
第１の装置が、第１の装置の高度情報および第２の装置の高度情報に従って、検索範囲を決定する。
【０１２４】
前述の２つの方式の具体的なプロセスは、前述の実施形態の方式１および方式２のものと同じであるので、ここで再び詳細を説明することはしない。
【０１２５】
前述の方式で検索範囲が決定された後、第１の装置は、決定された検索範囲内でミリ波信号を送信して、第２の装置を検索する。
【０１２６】
本発明の本実施形態において、検索範囲は粗定位によって決定され、それにより、ビームスキャンおよび検索の範囲が更に絞り込まれ、ビームスキャンおよび検索の回数が低減される。それによって、通信リンクをより速く確立し、装置の電力消費を低減し、ユーザーエクスペリエンスを向上することができる。
【０１２７】
図５ａを参照する。図５ａは、本発明の実施形態に係る別のミリ波フェーズドアレイ・ビームアライメント方法のフローチャートである。
【０１２８】
本発明の本実施形態と前述の実施形態との違いは、以下の通りである。すなわち、前述の実施形態は、送受信協調、送受信協調と粗定位および／または応答との組合わせ、ならびに応答と別の方式との組合わせの観点から説明されたが、本発明の本実施形態は、主に粗定位とブラインドサーチとの組合わせの方法の観点から説明される。
【０１２９】
本方法は、以下のステップを有してよい。
【０１３０】
ステップ５０１：第１の装置は、第２の装置が検索される検索範囲を決定する。
【０１３１】
検索範囲の決定のプロセスには、複数の方式があってよい。例えば、
方式１において、第１の装置と第２の装置との距離が距離閾値以下である場合、第１の装置は広ビームミリ波信号を送信して、第２の装置を検索し、
第１の装置は、第２の装置によって送信される信号帰属情報を受信し、信号帰属情報は、第２の装置によって受信された広ビームミリ波信号が属する第１の装置のアンテナセクターを含み、
第１の装置は、アンテナセクターによって示される角度範囲を検索範囲として決定する。
【０１３２】
方式２において、検索範囲を決定する方法は以下を含んでよい。
【０１３３】
第１の装置が、低帯域通信リンクを介して第２の装置の高度情報を受信し、
第１の装置が、第１の装置の高度情報および第２の装置の高度情報に従って、検索範囲を決定する。
【０１３４】
前述の２つの方式の具体的なプロセスは、前述の実施形態の方式１および方式２のプロセスと同じであるので、ここで再び詳細を説明することはしない。
【０１３５】
ステップ５０２：第１の装置は、検索範囲内で第１のミリ波信号を送信して、第２の装置を検索する。
【０１３６】
ステップ５０３：第１の装置は、第２の装置によって送信された第２のミリ波信号を受信する。第２の装置は、第１のミリ波信号の受信後に第２のミリ波信号を送信する。
【０１３７】
ステップ５０４：第１の装置は、第２のミリ波信号の受信後、第２のミリ波信号が受信された方向において第２の装置とのミリ波フェーズドアレイ・ビームアライメントを実施することを決定する。
【０１３８】
前述のステップ５０２〜５０４において、第１の装置は信号送信器であり、第２の装置は信号受信器である。第１の装置は第２の装置を検索し、第２の装置が信号を受信した後、第１の装置と第２の装置とは互いに役割を交換する。第２の装置が信号を送信して第１の装置を検索するプロセスは従来技術における検索プロセスと同じであるので、ここで再び詳細を説明することはしない。本方法と従来技術における方法との違いは、本実施形態では粗定位により最初に検索範囲が決定され、それから第１の装置が検索範囲内で信号を送信して検索を実行する点のみである。
【０１３９】
本発明の本実施形態において、検索範囲は粗定位によって決定され、それにより、ビームスキャンおよび検索の範囲が絞り込まれ、ビームスキャンおよび検索の回数が低減される。それによって、通信リンクをより速く確立し、装置の電力消費を低減し、ユーザーエクスペリエンスを向上することができる。
【０１４０】
具体的な例では、図５ｂに示されるように、計算を容易にするために、ビーム覆域がＭ×Ｍ個のサブエリアで構成され、サブエリアの総量がＭ２であると仮定する。ブラインドサーチが採用される場合、受信器により信号を受信するのに必要な予想最大回数はＭ４である。送信器が各サブエリアに１回ビーム検索シーケンスを送信する場合はＭ２回が必要であり、受信器は、各方向からＭ２回、ビーム検索シーケンスを受信する必要がある。最悪の場合、必要な検索回数は合計でＭ４である。しかしながら、検索範囲が前述の粗定位によって決定さると、単一の方向における検索の予想最大回数は、
【数２】
2016507980.tif 000004
まで低減され得る。
【０１４１】
前述の実施形態は、第１の装置を実行主体として説明されている。以下、第２の実施形態を実行主体として説明する。
【０１４２】
図６を参照する。図６は、本発明の実施形態に係る別のミリ波フェーズドアレイ・ビームアライメント方法のフローチャートである。
【０１４３】
本方法は、以下のステップを有してよい。
【０１４４】
ステップ６０１：第２の装置は、低帯域通信リンクを介して第１の装置と通信して、検索角度を決定する。
【０１４５】
ステップ６０２：第２の装置は、検索角度によって示される方向から、第１の装置によって送信された第１のミリ波信号を受信する。
【０１４６】
ステップ６０３：第２の装置は、第１のミリ波信号の受信後、第１の装置にフィードバック情報を送信し、そうして、第１の装置がフィードバック情報の受信後に、検索角度によって示される方向において第２の装置とのミリ波フェーズドアレイ・ビームアライメントを実施することを決定できるようにする。
【０１４７】
本発明の実施形態では、装置の２．４ＧＨｚや５ＧＨｚといった低周波帯域を補助通信リンクとして用いて検索角度が決定され、そうして、第１の装置および第２の装置は、検索角度に従って送受信協調によるビーム検索プロセスを実行し、ミリ波フェーズドアレイ・ビームアライメントが実施される。本方法によれば、ビーム検索の盲目性が低減され、ビームスキャン回数が著しく低減される。それにより、フェーズドアレイ・ビームアライメント効率が改善され、６０ＧＨｚ等のミリ波周波数帯域において通信リンクの確立に要する時間が短縮され、装置の電力消費が低減され、ユーザーエクスペリエンスが向上する。
【０１４８】
本発明の別の実施形態において、第２の装置が第１のミリ波信号の受信後、第１の装置にフィードバック情報を送信するステップは、以下のステップを含む。
【０１４９】
第２の装置は、第１のミリ波信号の受信後、検索角度によって示される方向に第２のミリ波信号を送信し、そうして、第１の装置が、検索角度によって示される方向から第２のミリ波信号を受信した後に、検索角度によって示される方向において第２の装置とのミリ波フェーズドアレイ・ビームアライメントを実施することを決定できるようにする。
【０１５０】
本発明の別の実施形態において、第２の装置が第１のミリ波信号の受信後、第１の装置にフィードバック情報を送信するステップは、以下のステップを含む。
【０１５１】
第２の装置は、第１のミリ波信号の受信後、低帯域通信リンクを介して第１の装置にフィードバック情報を送信する。フィードバック情報は、第２の装置が検索角度によって示される方向から第１のミリ波信号を受信したことを示すのに用いられる。
【０１５２】
複数の検索角度が決定される場合、フィードバック情報は、第２の装置によって受信された第１のミリ波信号のビーム方向情報を含み、そうして、第１の装置がフィードバック情報の受信後に、フィードバック情報に含まれる第１のミリ波信号のビーム方向において第２の装置とのミリ波フェーズドアレイ・ビームアライメントを実施することを決定できるようにする。
【０１５３】
本発明の別の実施形態において、第２の装置が低帯域通信リンクを介して第１の装置と通信して検索角度を決定する前に、本方法は更に、
【０１５４】
第２の装置と第１の装置との距離が距離閾値以下である場合、第２の装置が、第１の装置によって送信される広ビームミリ波信号を受信するステップと、
第２の装置が、広ビームミリ波信号の受信後、第１の装置に信号帰属情報を送信するステップであって、信号帰属情報は、第２の装置によって受信された広ビームミリ波信号が属する第１の装置のアンテナセクターを含み、そうして、第１の装置がアンテナセクターによって示される角度範囲を検索範囲として決定できるようにする、ステップと、
を有する。
【０１５５】
第２の装置が低帯域通信リンクを介して第１の装置と通信して検索角度を決定するステップは、特に、
【０１５６】
第２の装置が、低帯域通信リンクを介して第１の装置と通信して、検索範囲内で検索角度を決定するステップ、である。
【０１５７】
本発明の別の実施形態において、第２の装置が低帯域通信リンクを介して第１の装置と通信して検索角度を決定する前に、本方法は更に、
【０１５８】
第２の装置が、低帯域通信リンクを介して第１の装置に第２の装置の高度情報を送信し、そうして、第１の装置が、第１の装置の高度情報および第２の装置の高度情報に従って検索範囲を決定できるようにするステップ、
を有する。
【０１５９】
第２の装置が低帯域通信リンクを介して第１の装置と通信して検索角度を決定するステップは、特に、
【０１６０】
第２の装置が、低帯域通信リンクを介して第１の装置と通信して、検索範囲内で検索角度を決定するステップ、である。
【０１６１】
図７を参照する。図７は、本発明の実施形態に係る別のミリ波フェーズドアレイ・ビームアライメント方法のフローチャートである。
【０１６２】
本方法は、以下のステップを有してよい。
【０１６３】
ステップ７０１：第２の装置は、第１の装置によって送信されたミリ波信号を受信する。
【０１６４】
ステップ７０２：第２の装置は、ミリ波信号の受信後、低帯域通信リンクを介して第１の装置にフィードバック情報を送信する。フィードバック情報は、第２の装置が第１の装置によって送信されたミリ波信号を受信したことを示すのに用いられる。そうして、第１の装置がフィードバック情報の受信後に、ミリ波信号の送信方向において第２の装置とのミリ波フェーズドアレイ・ビームアライメントを実施することを決定できるようにする。
【０１６５】
フィードバック情報は、第２の装置によって受信されるミリ波信号のビーム方向情報を含んでよく、そうして、第１の装置がフィードバック情報の受信後に、フィードバック情報に含まれるミリ波信号のビーム方向において第２の装置とのミリ波フェーズドアレイ・ビームアライメントを実施することを決定できるようにする。
【０１６６】
本発明の本実施形態では、第２の装置が第１の装置に対して応答フィードバックを行って、受信されたミリ波信号の関連情報を第１の装置に返す。これにより、第２の装置と第１の装置が送受信の役割を互いに交換し、ビームスキャンおよび検索を完了するためにビーム指向情報が交換できる前に再度ビームスキャンを実行する必要があるプロセスが省略される。したがって、この方式によれば、第２の装置の応答方法において、スキャンおよび検索の回数の最大半分を削減することができる。それにより、フェーズドアレイ・ビームアライメント効率が更に改善され、６０ＧＨｚ等のミリ波周波数帯域において通信リンクの確立に要する時間が短縮され、装置の電力消費が低減され、ユーザーエクスペリエンスが向上する。
【０１６７】
本発明の別の実施形態において、第２の装置が第１の装置によって送信されたミリ波信号を受信する前に、本方法は更に、
【０１６８】
第２の装置と第１の装置との距離が距離閾値以下である場合、第２の装置が、第１の装置によって送信される広ビームミリ波信号を受信するステップと、
第２の装置が、広ビームミリ波信号の受信後、第１の装置に信号帰属情報を送信するステップであって、信号帰属情報は、第２の装置によって受信された広ビームミリ波信号が属する第１の装置のアンテナセクターを含み、そうして、第１の装置がアンテナセクターによって示される角度範囲を検索範囲として決定できるようにする、ステップと、
を有する。
【０１６９】
第２の装置が第１の装置によって送信されたミリ波信号を受信するステップは、特に、
【０１７０】
第２の装置が、検索範囲内で、第１の装置によって送信されたミリ波信号を受信するステップである。
【０１７１】
本発明の別の実施形態において、第２の装置が第１の装置によって送信されたミリ波信号を受信するステップの前に、本方法は更に、
【０１７２】
第２の装置が、低帯域通信リンクを介して第１の装置に第２の装置の高度情報を送信するステップであって、そうして、第１の装置が、第１の装置の高度情報および第２の装置の高度情報に従って検索範囲を決定できるようにする、ステップ、
を有する。
【０１７３】
第２の装置が第１の装置によって送信されたミリ波信号を受信するステップは、特に、
【０１７４】
第２の装置が、検索範囲内で、第１の装置によって送信されるミリ波信号を受信するステップである。
【０１７５】
図８を参照する。図８は、本発明の実施形態に係る別のミリ波フェーズドアレイ・ビームアライメント方法のフローチャートである。
【０１７６】
本方法は、以下のステップを有してよい。
【０１７７】
ステップ８０１：第２の装置は、決定された検索範囲内で第１の装置によって送信された第１のミリ波信号を受信する。
【０１７８】
ステップ８０２：第２の装置は、第１のミリ波信号の受信後、第２のミリ波信号を送信し、そうして、第１の装置が第２のミリ波信号の受信後に、第２のミリ波信号が受信された方向において第２の装置とのミリ波フェーズドアレイ・ビームアライメントを実施することを決定できるようにする。
【０１７９】
本発明の本実施形態において、検索範囲は粗定位によって決定され、それにより、ビームスキャンおよび検索の範囲が更に絞り込まれ、ビームスキャンおよび検索の回数が低減される。それによって、通信リンクをより速く確立し、装置の電力消費を低減し、ユーザーエクスペリエンスを向上することができる。
【０１８０】
本発明の別の実施形態において、第２の装置が決定された検索範囲内で第１の装置によって送信された第１のミリ波信号を受信するステップの前に、本方法は更に、
【０１８１】
第２の装置と第１の装置との距離が距離閾値以下である場合、第２の装置が、第１の装置によって送信される広ビームミリ波信号を受信するステップと、
第２の装置が、広ビームミリ波信号の受信後、第１の装置に信号帰属情報を送信するステップであって、信号帰属情報は、第２の装置によって受信された広ビームミリ波信号が属する第１の装置のアンテナセクターを含み、そうして、第１の装置がアンテナセクターによって示される角度範囲を検索範囲として決定できるようにする、ステップと、
を有する。
【０１８２】
本発明の別の実施形態において、第２の装置が決定された検索範囲内で第１の装置によって送信された第１のミリ波信号を受信するステップの前に、本方法は更に、
【０１８３】
第２の装置が、低帯域通信リンクを介して第１の装置に第２の装置の高度情報を送信するステップであって、そうして、第１の装置が、第１の装置の高度情報および第２の装置の高度情報に従って検索範囲を決定できるようにする、ステップ、
を有する。
【０１８４】
本発明の本実施形態において、ミリ波帯域の周波数は６０ＧＨｚに限定されず、ミリ波帯域は、２０ＧＨｚ〜１００ＧＨｚの周波数帯域全体をカバーするミリ波帯域であってよい。低周波帯域の周波数は２．４ＧＨｚ／５ＧＨｚ周波数帯域に限定されず、３０ＭＨｚ〜１０ＧＨｚの認可された利用可能な任意の周波数であってよい。第１の装置と第２の装置との間で伝送されるミリ波信号は、特に狭ビームミリ波信号であってよい。
【０１８５】
本発明の本実施形態は、限定ではないが、８０２．１１規格ファミリー、８０２．１５規格ファミリー（８０２．１５．３ｃ）、ＷｉＧｉｇ、ＷｉｒｅｌｅｓｓＨＤ、ＩＳＯ／ＩＥＣ１３１５６等のミリ波規格、或いはこれらの規格の組合わせに適用される。
【０１８６】
以上、本発明の方法実施形態を説明した。以下、前述の方法を実現するための装置を説明する。
【０１８７】
図９を参照する。図９は、本発明の実施形態に係る通信装置の概略構造図である。
【０１８８】
通信装置９００は、
低帯域通信リンクを介して第２の装置と通信して、検索角度を決定するように構成される角度決定ユニット９０１と、
検索角度によって示される方向に第１のミリ波信号を送信して、第２の装置を検索するように構成される信号送信ユニット９０２であって、第１のミリ波信号は高周波ミリ波信号である、信号送信ユニット９０２と、
第２の装置によって送信されるフィードバック情報を受信するように構成される信号受信ユニット９０３であって、第２の装置は検索角度によって示される方向の第１のミリ波信号を受信した後にフィードバック情報を送信する、信号受信ユニット９０３と、
信号受信ユニット９０３がフィードバック情報を受信した後に、検索角度によって示される方向において第２の装置とのミリ波フェーズドアレイ・ビームアライメントを実施すると決定するように構成されるアライメントユニット９０４と、
を備えてよい。
【０１８９】
本発明の実施形態では、装置の２．４ＧＨｚや５ＧＨｚといった低周波帯域を補助通信リンクとして用いて検索角度が決定され、そうして、通信装置および第２の装置は、検索角度に従って送受信協調によるビーム検索プロセスを実行し、ミリ波フェーズドアレイ・ビームアライメントが実施される。本装置によれば、ビーム検索の盲目性が低減され、ビームスキャン回数が著しく低減される。それにより、フェーズドアレイ・ビームアライメント効率が改善され、６０ＧＨｚ等のミリ波周波数帯域において通信リンクの確立に要する時間が短縮され、装置の電力消費が低減され、ユーザーエクスペリエンスが向上する。
【０１９０】
別の実施形態において、信号受信ユニットは、特に、検索角度によって示される方向から、第２の装置により検索角度によって示される方向に送信される第２のミリ波信号を受信するように構成される。第２の装置は、検索角度によって示される方向から第１のミリ波信号を受信した後に第２のミリ波信号を送信し、第２のミリ波信号は高周波ミリ波信号である。
【０１９１】
アライメントユニットは、特に、信号受信ユニットが第２のミリ波信号を受信した後に、検索角度によって示される方向において第２の装置とのミリ波フェーズドアレイ・ビームアライメントを実施することを決定するように構成される。
【０１９２】
別の実施形態において、信号受信ユニットは、特に、低帯域通信リンクを介して、第２の装置によって送信されたフィードバック情報を受信するように構成される。フィードバック情報は、第２の装置が検索角度から第１のミリ波信号を受信したことを示すのに用いられる。
【０１９３】
角度決定ユニットにより複数の検索角度が決定される場合、信号受信ユニットによって受信されるフィードバック情報は、第２の装置によって受信される第１のミリ波信号のビーム方向情報を含む。
【０１９４】
アライメントユニットは、特に、信号受信ユニットがフィードバック情報を受信した後に、フィードバック情報に含まれる第１のミリ波信号のビーム方向において第２の装置とのミリ波フェーズドアレイ・ビームアライメントを実施することを決定するように構成される。
【０１９５】
別の実施形態において、本通信装置は更に、
角度決定ユニットが低帯域通信リンクを介して第２の装置と通信して検索角度を決定する前に、通信装置と第２の装置との距離が距離閾値以下である場合、広ビームミリ波信号を送信して第２の装置を検索するように構成され、広ビームミリ波信号は高周波ミリ波信号であり、また、第２の装置によって送信される信号帰属情報を受信するように構成され、信号帰属情報は、第２の装置によって受信された広ビームミリ波信号が属する通信装置のアンテナセクターを含み、また、アンテナセクターによって示される角度範囲を検索範囲として決定するように構成される、第１の範囲決定ユニット、
を備えてよい。
【０１９６】
角度決定ユニットは、特に、低帯域通信リンクを介して第２の装置と通信して、検索範囲内で検索角度を決定するように構成される。
【０１９７】
別の実施形態において、通信装置は、
角度決定ユニットが低帯域通信リンクを介して第２の装置と通信して検索角度を決定する前に、低帯域通信リンクを介して第２の装置の高度情報を受信するように構成される高度情報受信ユニットと、
第１の装置の高度情報および第２の装置の高度情報に従って、検索範囲を決定するように構成される第２の範囲決定ユニットと、
を更に備えてよい。
【０１９８】
角度決定ユニットは、特に、低帯域通信リンクを介して第２の装置と通信して、検索範囲内で検索角度を決定するように構成される。
【０１９９】
図１０を参照する。図１０は、本発明の実施形態に係る別の通信装置の概略構造図である。
【０２００】
通信装置１０００は、
ミリ波信号を送信して第２の装置を検索するように構成される信号送信ユニット１００１と、
低帯域通信リンクを介して第２の装置によって送信されるフィードバック情報を受信するように構成される信号受信ユニット１００２であって、フィードバック情報は、第２の装置が通信装置によって送信されたミリ波信号を受信したことを示すのに用いられ、ミリ波信号は高周波ミリ波信号である、信号受信ユニット１００２と、
信号受信ユニットがフィードバック情報を受信した後に、ミリ波信号の送信方向において第２の装置とのミリ波フェーズドアレイ・ビームアライメントを実施することを決定するように構成されるアライメントユニット１００３と、
を備えてよい。
【０２０１】
信号送信ユニットがミリ波信号を複数の送信方向に送信して第２の装置を検索する場合、信号受信ユニットによって受信されるフィードバック情報は、第２の装置によって受信されたミリ波信号のビーム方向情報を含む。
【０２０２】
アライメントユニットは、特に、信号受信ユニットがフィードバック情報を受信した後にフィードバック情報に含まれるミリ波信号のビーム方向において第２の装置とのミリ波フェーズドアレイ・ビームアライメントを実施することを決定するように構成される。
【０２０３】
本発明の本実施形態では、第２の装置により通信装置に送信される応答フィードバックを装置が受信する。これにより、第２の装置と通信装置が送受信の役割を交換し、ビームスキャンおよび検索を完了するためにビーム指向情報が交換できる前に再度ビームスキャンを実行する必要があるプロセスが省略される。したがって、本装置によれば、スキャンおよび検索の回数の最大半分を削減することができる。それにより、フェーズドアレイ・ビームアライメント効率が更に改善され、６０ＧＨｚ等のミリ波周波数帯域において通信リンクの確立に要する時間が短縮され、装置の電力消費が低減され、ユーザーエクスペリエンスが向上する。
【０２０４】
別の実施形態において、通信装置は更に、
信号送信ユニットがミリ波信号を送信して第２の装置を検索する前に、通信装置と第２の装置との距離が距離閾値以下である場合、広ビームミリ波信号を送信して第２の装置を検索するように構成され、広ビームミリ波信号は高周波ミリ波信号であり、また、第２の装置によって送信される信号帰属情報を受信するように構成され、信号帰属情報は、第２の装置によって受信された広ビームミリ波信号が属する通信装置のアンテナセクターを含み、また、アンテナセクターによって示される角度範囲を検索範囲として決定するように構成される、第１の範囲決定ユニット、
を備えてよい。
【０２０５】
信号送信ユニットは、特に、検索範囲内でミリ波信号を送信して第２の装置を検索するように構成される。
【０２０６】
別の実施形態において、通信装置は、
信号送信ユニットがミリ波信号を送信して第２の装置を検索する前に、低帯域通信リンクを介して第２の装置の高度情報を受信するように構成される高度情報受信ユニットと、
第１の装置の高度情報および第２の装置の高度情報に従って、検索範囲を決定するように構成される第２の範囲決定ユニットと、
を更に備えてよい。
【０２０７】
信号送信ユニットは、特に、検索範囲内でミリ波信号を送信して第２の装置を検索するように構成される。
【０２０８】
図１１を参照する。図１１は、本発明の実施形態に係る別の通信装置の概略構造図である。
【０２０９】
通信装置１１００は、
第２の装置が検索される検索範囲を決定するように構成される範囲決定ユニット１１０１と、
検索範囲内で第１のミリ波信号を送信して第２の装置を検索するように構成される信号送信ユニット１１０２と、
第２の装置によって送信される第２のミリ波信号を受信するように構成される信号受信ユニット１１０３であって、第２の装置は第１のミリ波信号の受信後に第２のミリ波信号を送信する、信号受信ユニット１１０３と、
第２のミリ波信号が受信された後に、第２のミリ波信号が受信された方向において第２の装置とのミリ波フェーズドアレイ・ビームアライメントを実施することを決定するように構成されるアライメントユニット１１０４と、
を備えてよい。
【０２１０】
第１のミリ波信号と第２のミリ波信号の両方は高周波ミリ波信号である。
【０２１１】
本発明の本実施形態において、装置は粗定位により検索範囲を決定し、それにより、ビームスキャンおよび検索の範囲が更に絞り込まれ、ビームスキャンおよび検索の回数が低減される。それによって、通信リンクをより速く確立し、装置の電力消費を低減し、ユーザーエクスペリエンスを向上することができる。
【０２１２】
別の実施形態において、範囲決定ユニットは、特に、通信装置と第２の装置との距離が距離閾値以下である場合、広ビームミリ波信号を送信して第２の装置を検索するように構成され、広ビームミリ波信号は高周波ミリ波信号であり、また、第２の装置によって送信される信号帰属情報を受信するように構成され、信号帰属情報は、第２の装置によって受信された広ビームミリ波信号が属する通信装置のアンテナセクターを含み、また、アンテナセクターによって示される角度範囲を検索範囲として決定するように構成される。
【０２１３】
別の実施形態において、範囲決定ユニットは、
低帯域通信リンクを介して第２の装置の高度情報を受信するように構成される受信サブユニットと、
通信装置の高度情報および第２の装置の高度情報に従って、検索範囲を決定するように構成される決定サブユニットと、
を有する。
【０２１４】
図１２を参照する。図１２は、本発明の実施形態に係る別の通信装置の概略構造図である。
【０２１５】
通信装置１２００は、
低帯域通信リンクを介して第１の装置と通信して、検索角度を決定するように構成される角度決定ユニット１２０１と、
検索角度によって示される方向から、第１の装置によって送信される第１のミリ波信号を受信するように構成される信号受信ユニット１２０２であって、第１のミリ波信号は高周波ミリ波信号である、信号受信ユニット１２０２と、
信号受信ユニットが第１のミリ波信号を受信した後に、第１の装置にフィードバック情報を送信し、そうして、第１の装置がフィードバック情報の受信後に、検索角度によって示される方向において通信装置とのミリ波フェーズドアレイ・ビームアライメントを実施することを決定できるようにする、フィードバックユニット１２０３と、
を備えてよい。
【０２１６】
別の実施形態において、フィードバックユニットは、特に、信号受信ユニットが第１のミリ波信号を受信した後に、検索角度によって示される方向に第２のミリ波信号を送信し、そうして、第１の装置が、検索角度によって示される方向から第２のミリ波信号を受信した後に、検索角度によって示される方向において通信装置とのミリ波フェーズドアレイ・ビームアライメントを実施することを決定できるようにする。第２のミリ波信号は、高周波ミリ波信号である。
【０２１７】
別の実施形態において、フィードバックユニットは、特に、信号受信ユニットが第１のミリ波信号を受信した後に、低帯域通信リンクを介して第１の装置にフィードバック情報を送信するように構成される。フィードバック情報は、通信装置が検索角度によって示される方向から第１のミリ波信号を受信したことを示すのに用いられる。
【０２１８】
角度決定ユニットにより複数の検索角度が決定される場合、フィードバック情報は、信号受信ユニットによって受信された第１のミリ波信号のビーム方向情報を含み、それにより、第１の装置がフィードバック情報の受信後に、フィードバック情報に含まれる第１のミリ波信号のビーム方向において通信装置とのミリ波フェーズドアレイ・ビームアライメントを実施することを決定できるようにする。
【０２１９】
別の実施形態において、信号受信ユニットは更に、角度決定ユニットが低帯域通信リンクを介して第１の装置と通信して検索角度を決定する前に、通信装置と第１の装置との距離が距離閾値以下である場合、第１の装置によって送信される広ビームミリ波信号を受信するように構成される。広ビームミリ波信号は高周波ミリ波信号である。
【０２２０】
フィードバックユニットは更に、信号受信ユニットが広ビームミリ波信号を受信した後に、第１の装置に信号帰属情報を送信するように構成される。信号帰属情報は、通信装置によって受信された広ビームミリ波信号が属する第１の装置のアンテナセクターを含み、第１の装置は、アンテナセクターによって示される角度範囲を検索範囲として決定する。
【０２２１】
角度決定ユニットは、特に、低帯域通信リンクを介して第１の装置と通信して、検索範囲内で検索角度を決定するように構成される。
【０２２２】
別の実施形態において、本通信装置は更に、
角度決定ユニットが低帯域通信リンクを介して第１の装置と通信して検索角度を決定する前に、低帯域通信リンクを介して第１の装置に通信装置の高度情報を送信するように構成される高度情報送信ユニットであって、そうして、第１の装置が、第１の装置の高度情報および通信装置の高度情報に従って検索範囲を決定できるようにする、高度情報送信ユニット、
を備えてよい。
【０２２３】
角度決定ユニットは、特に、低帯域通信リンクを介して第１の装置と通信して、検索範囲内で検索角度を決定するように構成される。
【０２２４】
図１３を参照する。図１３は、本発明の実施形態に係る別の通信装置の概略構造図である。
【０２２５】
通信装置１３００は、
第１の装置によって送信されるミリ波信号を受信するように構成される信号受信ユニット１３０１であって、ミリ波信号は高周波ミリ波信号である、信号受信ユニット１３０１と、
信号受信ユニットがミリ波信号を受信した後に、低帯域通信リンクを介して第１の装置にフィードバック情報を送信するように構成されるフィードバックユニット１３０２であって、フィードバック情報は、通信装置が第１の装置によって送信されたミリ波信号を受信したことを示すのに用いられ、そうして、第１の装置がフィードバック情報の受信後に、ミリ波信号の送信方向において通信装置とのミリ波フェーズドアレイ・ビームアライメントを実施することを決定できるようにする、フィードバックユニット１３０２と、
を備えてよい。
【０２２６】
フィードバック情報は、通信装置によって受信されたミリ波信号ビーム方向情報を含んでよく、第１の装置は、フィードバック情報の受信後に、フィードバック情報に含まれるミリ波信号のビーム方向において通信装置とのミリ波フェーズドアレイ・ビームアライメントを実施することを決定する。
【０２２７】
別の実施形態において、信号受信ユニットは更に、第１の装置によって送信されたミリ波信号が受信される前に、通信装置と第１の装置との距離が距離閾値以下である場合、第１の装置によって送信される広ビームミリ波信号を受信するように構成される。広ビームミリ波信号は、高周波ミリ波信号である。
【０２２８】
フィードバックユニットは更に、信号受信ユニットが広ビームミリ波信号を受信した後に、第１の装置に信号帰属情報を送信するように構成される。信号帰属情報は、通信装置によって受信された広ビームミリ波信号が属する第１の装置のアンテナセクターを含み、そうして、第１の装置がアンテナセクターによって示される角度範囲を検索範囲として決定できるようにする。
【０２２９】
信号受信ユニットは、特に、検索範囲内で、第１の装置によって送信されたミリ波信号を受信するように構成される。
【０２３０】
別の実施形態において、本通信装置は更に、
信号受信ユニットが第１の装置によって送信されたミリ波信号を受信する前に、低帯域通信リンクを介して第１の装置に通信装置の高度情報を送信するように構成される高度情報送信ユニットであって、そうして、第１の装置が、第１の装置の高度情報および通信装置の高度情報に従って検索範囲を決定できるようにする、送信ユニット、
を備えてよい。
【０２３１】
信号受信ユニットは、特に、検索範囲内で、第１の装置によって送信されたミリ波信号を受信するように構成される。
【０２３２】
図１４を参照する。図１４は、本発明の実施形態に係る別の通信装置の概略構造図である。
【０２３３】
通信装置１４００は、
決定された検索範囲内で第１の装置によって送信された第１のミリ波信号を受信するように構成される信号受信ユニット１４０１と、
信号受信ユニットが第１のミリ波信号を受信した後に、第２のミリ波信号を送信するように構成される信号送信ユニット１４０２であって、第１のミリ波信号と第２のミリ波信号の両方は高周波ミリ波信号であり、そうして、第１の装置が第２のミリ波信号の受信後に、第２のミリ波信号が受信された方向において通信装置とのミリ波フェーズドアレイ・ビームアライメントを実施することを決定できるようにする、信号送信ユニット１４０２と、
を備えてよい。
【０２３４】
別の実施形態において、信号受信ユニットは更に、決定された検索範囲内で第１の装置によって送信された第１のミリ波信号が受信される前に、通信装置と第１の装置との距離が距離閾値以下である場合、第１の装置によって送信される広ビームミリ波信号を受信するように構成される。広ビームミリ波信号は高周波ミリ波信号である。
【０２３５】
信号送信ユニットは更に、信号受信ユニットが広ビームミリ波信号を受信した後に、第１の装置に信号帰属情報を送信するように構成される。信号帰属情報は、通信装置によって受信された広ビームミリ波信号が属する第１の装置のアンテナセクターを含み、そうして、第１の装置がアンテナセクターによって示される角度範囲を検索範囲として決定できるようにする。
【０２３６】
別の実施形態において、本通信装置は更に、
信号受信ユニットが決定された検索範囲内で第１の装置によって送信された第１のミリ波信号を受信する前に、低帯域通信リンクを介して第１の装置に通信装置の高度情報を送信するように構成される高度情報送信ユニットであって、そうして、第１の装置が第１の装置の高度情報および通信装置の高度情報に従って検索範囲を決定できるようにする、高度情報送信ユニット、
を備えてよい。
【０２３７】
本発明の実施形態は更に、ミリ波フェーズドアレイ・ビームアライメントシステムを提供する。本システムは、図９に示される前述の実施形態に係る通信装置と、図１２に示される前述の実施形態に係る通信装置と、を備えてよい。
【０２３８】
本発明の実施形態は更に、ミリ波フェーズドアレイ・ビームアライメントシステムを提供する。本システムは、図１０に示される前述の実施形態に係る通信装置と、図１３に示される前述の実施形態に係る通信装置と、を備えてよい。
【０２３９】
本発明の実施形態は更に、ミリ波フェーズドアレイ・ビームアライメントシステムを提供する。本システムは、図１１に示される前述の実施形態に係る通信装置と、図１４に示される前述の実施形態に係る通信装置と、を備えてよい。
【０２４０】
前述のシステムに含まれる装置の具体的な実施については、前述の実施形態の説明を参照されたい。ここで再び詳細を説明することはしない。
【０２４１】
本発明の実施形態は更に、通信装置を提供する。本通信装置は、送受信器、メモリおよびプロセッサを備えてよい。
【０２４２】
送受信器は、検索角度に従って第１のミリ波信号を送信して第２の装置を検索し、第２の装置によって送信されるフィードバック情報を受信するように構成される。第２の装置は、検索角度から第１のミリ波信号を受信した後に、フィードバック情報を送信する。
【０２４３】
メモリは、プログラムコード群を保存する。プロセッサは、
低帯域通信リンクを介して第２の装置と通信して、検索角度を決定する工程と、
フィードバック情報が受信された後に、検索角度から第２の装置とのミリ波フェーズドアレイ・ビームアライメントを実施することを決定する工程と、
を実行するために、メモリに保存されるプログラムコードを呼び出すように構成される。
【０２４４】
本発明の実施形態は更に、通信装置を提供する。本通信装置は、送受信器、メモリおよびプロセッサを備えてよい。
【０２４５】
送受信器は、ミリ波信号を送信して第２の装置を検索するように構成され、また、低帯域通信リンクを介して、第２の装置によって送信されるフィードバック情報を受信するように構成される。フィードバック情報は、第２の装置が第１の装置によって送信されたミリ波信号を受信したことを示すのに用いられる。
【０２４６】
メモリは、プログラムコード群を保存する。プロセッサは、
フィードバック情報が受信された後に、ミリ波信号が送信された送信角度から第２の装置とのミリ波フェーズドアレイ・ビームアライメントを実施することを決定する工程、
を実行するために、メモリに保存されるプログラムコードを呼び出すように構成される。
【０２４７】
本発明の実施形態は更に、通信装置を提供する。本通信装置は、送受信器、メモリおよびプロセッサを備えてよい。
【０２４８】
送受信器は、第２の装置によって送信される第２のミリ波信号を受信する。第２の装置は、第１のミリ波信号を受信した後に第２のミリ波信号を送信する。また、送受信器は、検索範囲内に第１のミリ波信号を送信して、第２の装置を送信する。
【０２４９】
メモリは、プログラムコード群を保存する。プロセッサは、
第２の装置が検索される検索範囲を決定する工程と、
第２のミリ波信号が受信された後に、第１のミリ波信号が送信された送信角度から第２の装置とのミリ波フェーズドアレイ・ビームアライメントを実施することを決定する工程と、
を実行するために、メモリに保存されるプログラムコードを呼び出すように構成される。
【０２５０】
本発明の実施形態は更に、通信装置を提供する。本通信装置は、送受信器、メモリおよびプロセッサを備えてよい。
【０２５１】
送受信器は、検索角度から、第１の装置によって送信される第１のミリ波信号を受信し、第１のミリ波信号が受信された後に、第１の装置にフィードバック情報を送信ように構成され、そうして、第１の装置がフィードバック情報の受信後に、検索角度から第２の装置とのミリ波フェーズドアレイ・ビームアライメントを実施することを決定できるようにする。
【０２５２】
メモリは、プログラムコード群を保存する。プロセッサは、
低帯域通信リンクを介して第１の装置と通信して、検索角度を決定する工程、
を実行するために、メモリに保存されるプログラムコードを呼び出すように構成される。
【０２５３】
本発明の実施形態は更に、通信装置を提供する。本通信装置は送受信器を備えてよい。
【０２５４】
送受信器は、第１の装置によって送信されるミリ波信号を受信するように構成され、また、ミリ波信号が受信された後に、低帯域通信リンクを介して第１の装置にフィードバック情報を送信するように構成され、フィードバック情報は、第２の装置が第１の装置によって送信されたミリ波信号を受信したことを示すのに用いられ、そうして、第１の装置がフィードバック情報の受信後に、ミリ波信号が送信された送信角度から第２の装置とのミリ波フェーズドアレイ・ビームアライメントを実施することを決定できるようにする。
【０２５５】
本発明の実施形態は更に、通信装置を提供する。本通信装置は送受信器を備えてよい。
【０２５６】
送受信器は、決定された検索範囲内で第１の装置によって送信された第１のミリ波信号を受信するように構成され、また、第１のミリ波信号が受信された後に、第２のミリ波信号を送信するように構成され、そうして、第１の装置が第２のミリ波信号の受信後に、第１のミリ波信号が送信された送信角度から第２の装置とのミリ波フェーズドアレイ・ビームアライメントを実施することを決定できるようにする。
【０２５７】
当該技術分野の当業者は承知しているかもしれないが、本明細書に開示された実施形態に記載の例との組み合わせにおいて、ユニットおよびアルゴリズムステップは、電子機器またはコンピューターソフトウェアと電子機器との組合わせによって実装されてよい。これらの機能がハードウェアとソフトウェアのどちらによって実行されるかは、技術的構成の特定の応用および設計制約条件による。当該技術分野の当業者であれば、特定の応用の各々について記載された機能の実施に異なる方法を用いるかもしれないが、実施は本発明の範囲を超えるものと考えられるべきである。
【０２５８】
当該技術分野の当業者には明らかに理解されるかもしれないが、説明を簡単かつ短くするために、前述のシステム、装置およびユニットの動作プロセスの詳細については、前述の方法実施形態において対応するプロセスを参照することができ、ここで再び詳細を説明することはしない。
【０２５９】
本願で提供されたいくつかの実施形態において、開示されたシステム、装置および方法は他の方式で実施されてよいと理解されるべきである。例えば、記載の装置実施形態は例示に過ぎない。例えば、ユニットの分割は論理機能の分割に過ぎず、実際の実施では他の分割であってよい。例えば、複数のユニットまたはコンポーネントが別のシステムに組合わせ或いは統合されてよく、或いは一部の特徴が省略されてよく、或いは実行されなくてよい。また、図示または記載された相互結合または直接的な結合または通信接続は、いくつかのインターフェースを介して実施されてよい。装置間またはユニット間の間接的な結合または通信接続は、電気的、機械的またはその他の形式で実施されてよい。
【０２６０】
個別の構成要素として説明されたユニットは物理的に個別であってもなくてもよく、ユニットとして図示された構成要素は物理的なユニットであってもなくてもよく、１箇所に位置しても、複数のネットワークユニット上に分散されてもよい。実施形態の構成の目的を達成するための実際の要件に従って、ユニットの一部または全部が選択されてよい。
【０２６１】
また、本発明の実施形態の機能ユニットは１つの処理ユニットに統合されてよく、或いは、各ユニットは物理的に単独で存在してよく、或いは、２以上のユニットが１つのユニットに統合される。
【０２６２】
機能がソフトウェア機能ユニットの形で実現され、独立した製品として販売または使用される場合、機能はコンピューター可読記憶媒体に保存されてよい。このような理解に基づいて、本発明の技術的構成は本質的に、或いは従来技術に貢献する部分、或いは技術的構成の一部は、ソフトウェア製品の形で実現されてよい。ソフトウェア製品は記憶媒体に保存され、コンピューター装置（パーソナルコンピューター、サーバーまたはネットワーク装置であってよい）またはプロセッサ（processor）に本発明の実施形態で説明された方法のステップの全部または一部を実行するように命令するいくつかの命令を含む。前述の記憶媒体はプログラムコードを保存できる媒体であればよく、例えば、ＵＳＢフラッシュドライブ、リムーバブルハードディスク、リード・オンリー・メモリ（ＲＯＭ、Read-Only  Memory）、ランダム・アクセス・メモリ（ＲＡＭ、Random  Access  Memory）、磁気ディスク、光学ディスク等であってよい。
【０２６３】
前述の説明は本発明の具体的な実施方式に過ぎず、本発明の保護範囲の限定を目的としていない。当該技術分野の当業者が本発明で開示される技術的範囲で容易に想到し得るいかなる変形または置換も、本発明の保護範囲に包含されるものとする。したがって、本発明の保護範囲は、特許請求の範囲の保護範囲に従うものとする。
【図１】
2016507980.tif 000005
【図２ａ】
2016507980.tif 000006
【図２ｂ】
2016507980.tif 000007
【図２ｃ】
2016507980.tif 000008
【図２ｄ】
2016507980.tif 000009
【図３】
2016507980.tif 000010
【図４】
2016507980.tif 000011
【図５ａ】
2016507980.tif 000012
【図５ｂ】
2016507980.tif 000013
【図６】
2016507980.tif 000014
【図７】
2016507980.tif 000015
【図８】
2016507980.tif 000016
【図９】
2016507980.tif 000017
【図１０】
2016507980.tif 000018
【図１１】
2016507980.tif 000019
【図１２】
2016507980.tif 000020
【図１３】
2016507980.tif 000021
【図１４】
2016507980.tif 000022
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
ミリ波フェーズドアレイ・ビームアライメント方法であって、
第１の装置が、第２の装置が検索される検索範囲を決定するステップと、
前記第１の装置が、前記検索範囲内で第１のミリ波信号を送信して前記第２の装置を検索するステップと、
前記第１の装置が、前記第２の装置によって送信される第２のミリ波信号を受信するステップであって、前記第２の装置は前記第１のミリ波信号の受信後に前記第２のミリ波信号を送信する、ステップと、
前記第１の装置が、前記第２のミリ波信号の受信後に、前記第２のミリ波信号が受信された方向において前記第２の装置とのミリ波フェーズドアレイ・ビームアライメントを実施することを決定するステップと、
を有し、
前記第１のミリ波信号と前記第２のミリ波信号の両方は、高周波ミリ波信号である、
方法。
【請求項２】
第１の装置が第２の装置が検索される検索範囲を決定する前記ステップは、
前記第１の装置と前記第２の装置との距離が距離閾値以下である場合、前記第１の装置が、広ビームミリ波信号を送信して前記第２の装置を検索するステップであって、前記広ビームミリ波信号は高周波ミリ波信号である、ステップと、
前記第１の装置が、前記第２の装置によって送信される信号帰属情報を受信するステップであって、前記信号帰属情報は、前記第２の装置によって受信された前記広ビームミリ波信号が属する前記第１の装置のアンテナセクターを含む、ステップと、
前記第１の装置が、前記アンテナセクターによって示される角度範囲を前記検索範囲として決定するステップと、
を有する、請求項１に記載の方法。
【請求項３】
第１の装置が第２の装置が検索される検索範囲を決定する前記ステップは、
前記第１の装置が、低帯域通信リンクを介して前記第２の装置の高度情報を受信するステップと、
前記第１の装置が、前記第１の装置の高度情報および前記第２の装置の前記高度情報に従って、前記検索範囲を決定するステップと、
を有する、請求項１または２に記載の方法。
【請求項４】
ミリ波フェーズドアレイ・ビームアライメント方法であって、
第２の装置が、決定された検索範囲内で第１の装置によって送信された第１のミリ波信号を受信するステップと、
前記第２の装置が、前記第１のミリ波信号の受信後に第２のミリ波信号を送信するステップであって、そうして、前記第１の装置が前記第２のミリ波信号の受信後に、前記第２のミリ波信号が受信された方向において前記第２の装置とのミリ波フェーズドアレイ・ビームアライメントを実施することを決定できるようにし、前記第１のミリ波信号と前記第２のミリ波信号の両方は高周波ミリ波信号である、ステップと、
を有する方法。
【請求項５】
第２の装置が決定された検索範囲内で第１の装置によって送信された第１のミリ波信号を受信する前記ステップの前に、前記方法は、
前記第２の装置と前記第１の装置との距離が距離閾値以下である場合、前記第２の装置が、前記第１の装置によって送信される広ビームミリ波信号を受信するステップであって、前記広ビームミリ波信号は高周波ミリ波信号である、ステップと、
前記第２の装置が、前記広ビームミリ波信号の受信後、前記第１の装置に信号帰属情報を送信するステップであって、前記信号帰属情報は、前記第２の装置によって受信された前記広ビームミリ波信号が属する前記第１の装置のアンテナセクターを含み、そうして、前記第１の装置が、前記アンテナセクターによって示される角度範囲を前記検索範囲として決定できるようにする、ステップと、
を更に有する、請求項４に記載の方法。
【請求項６】
第２の装置が決定された検索範囲内で第１の装置によって送信された第１のミリ波信号を受信する前記ステップの前に、前記方法は、
前記第２の装置が、低帯域通信リンクを介して前記第１の装置に前記第２の装置の高度情報を送信するステップであって、そうして、前記第１の装置が、前記第１の装置の高度情報および前記第２の装置の前記高度情報に従って前記検索範囲を決定できるようにする、ステップ、
を更に有する請求項４または５に記載の方法。
【請求項７】
第２の装置が検索される検索範囲を決定するように構成される範囲決定ユニットと、
前記検索範囲内で第１のミリ波信号を送信して前記第２の装置を検索するように構成される信号送信ユニットと、
前記第２の装置によって送信される第２のミリ波信号を受信するように構成される信号受信ユニットであって、前記第２の装置は前記第１のミリ波信号の受信後に前記第２のミリ波信号を送信する、信号受信ユニットと、
前記第２のミリ波信号が受信された後に、前記第２のミリ波信号が受信された方向において前記第２の装置とのミリ波フェーズドアレイ・ビームアライメントを実施することを決定するように構成されるアライメントユニットと、
を備える通信装置であって、
前記第１のミリ波信号と前記第２のミリ波信号の両方は、高周波ミリ波信号である、
通信装置。
【請求項８】
前記範囲決定ユニットは、特に、前記通信装置と前記第２の装置との距離が距離閾値以下である場合、広ビームミリ波信号を送信して前記第２の装置を検索するように構成され、前記広ビームミリ波信号は高周波ミリ波信号であり、また、前記第２の装置によって送信される信号帰属情報を受信するように構成され、前記信号帰属情報は、前記第２の装置によって受信された前記広ビームミリ波信号が属する前記通信装置のアンテナセクターを含み、また、前記アンテナセクターによって示される角度範囲を前記検索範囲として決定するように構成される、
請求項７に記載の通信装置。
【請求項９】
前記範囲決定ユニットは、
低帯域通信リンクを介して前記第２の装置の高度情報を受信するように構成される受信サブユニットと、
前記通信装置の高度情報および前記第２の装置の前記高度情報に従って、前記検索範囲を決定するように構成される決定サブユニットと、
を有する、請求項７または８に記載の通信装置。
【請求項１０】
決定された検索範囲内で第１の装置によって送信された第１のミリ波信号を受信するように構成される信号受信ユニットと、
前記信号受信ユニットが前記第１のミリ波信号を受信した後に、第２のミリ波信号を送信するように構成される信号送信ユニットであって、そうして、前記第１の装置が前記第２のミリ波信号の受信後に、前記第２のミリ波信号が受信された方向において前記通信装置とのミリ波フェーズドアレイ・ビームアライメントを実施することを決定できるようにし、前記第１のミリ波信号と前記第２のミリ波信号の両方は高周波ミリ波信号である、信号送信ユニットと、
を備える通信装置。
【請求項１１】
前記信号受信ユニットは更に、前記決定された検索範囲内で前記第１の装置によって送信された前記第１のミリ波信号が受信される前に、前記通信装置と前記第１の装置との距離が距離閾値以下である場合、前記第１の装置によって送信される広ビームミリ波信号を受信するように構成され、前記広ビームミリ波信号は高周波ミリ波信号であり、
前記信号送信ユニットは更に、前記信号受信ユニットが前記広ビームミリ波信号を受信した後に、前記第１の装置に信号帰属情報を送信するように構成され、前記信号帰属情報は、前記通信装置によって受信された前記広ビームミリ波信号が属する前記第１の装置のアンテナセクターを含み、そうして、前記第１の装置が前記アンテナセクターによって示される角度範囲を前記検索範囲として決定できるようにする、
請求項１０に記載の通信装置。
【請求項１２】
高度情報送信ユニットを更に備え、
前期高度情報送信ユニットは、前記信号受信ユニットが前記決定された検索範囲内で前記第１の装置によって送信された前記第１のミリ波信号を受信する前に、低帯域通信リンクを介して前記第１の装置に前記通信装置の高度情報を送信するように構成され、そうして、前記第１の装置が、前記第１の装置の高度情報および前記通信装置の前記高度情報に従って前記検索範囲を決定できるようにする、
請求項１０または１１に記載の通信装置。
【手続補正２】
【補正対象書類名】明細書
【補正対象項目名】００３１
【補正方法】変更
【補正の内容】
【００３１】
前述の第５の態様および／または第１の可能な実施方式および／または第２の可能な実施方式に関して、第３の可能な実施方式では、第２の装置が第１の装置によって送信されるミリ波信号を受信する前記ステップの前に、前記方法は、
前記第２の装置が、前記低帯域通信リンクを介して前記第１の装置に前記第２の装置の高度情報を送信するステップであって、そうして、前記第１の装置が、前記第１の装置の高度情報および前記第２の装置の前記高度情報に従って検索範囲を決定できるようにする、ステップ、
を更に有し、
第２の装置が第１の装置によって送信されるミリ波信号を受信する前記ステップは、特に、
前記第２の装置が、前記検索範囲内で、前記第１の装置によって送信される前記ミリ波信号を受信するステップである。
【手続補正３】
【補正対象書類名】明細書
【補正対象項目名】００３８
【補正方法】変更
【補正の内容】
【００３８】
前述の第７の態様および／または第１の可能な実施方式および／または第２の可能な実施方式に関して、第３の可能な実施方式では、前記角度決定ユニットにより複数の検索角度が決定される場合、前記信号受信ユニットによって受信される前記フィードバック情報は、前記第２の装置によって受信される前記第１のミリ波信号のビーム方向情報を含み、
前記アライメントユニットは、特に、前記信号受信ユニットが前記フィードバック情報を受信した後に、前記フィードバック情報に含まれる前記第１のミリ波信号のビーム方向において前記第２の装置とのミリ波フェーズドアレイ・ビームアライメントを実施することを決定するように構成される。
【手続補正４】
【補正対象書類名】明細書
【補正対象項目名】００６５
【補正方法】変更
【補正の内容】
【００６５】
本発明の実施形態における技術的構成をより明確に説明するために、以下、実施形態の説明に必要な添付の図面を簡単に紹介する。明らかに、当該技術分野の当業者であれば、創造努力なしに、これらの添付の図面から他の図面を導出することができる。
【図１】本発明の実施形態に係るミリ波フェーズドアレイ・ビームアライメント方法のフローチャートである。
【図２ａ】本発明の実施形態に係る検索角度の決定の概略図である。
【図２ｂ】本発明の実施形態に係る、送受信協調方法に従う検索の概略図である。
【図２ｃ】本発明の実施形態に係る、粗定位による検索範囲の決定の概略図である。
【図２ｄ】本発明の実施形態に係る、粗定位と送受信協調と応答との組合わせの方法を用いる検索の概略図である。
【図３】本発明の実施形態に係る検索範囲を決定する方法のフローチャートである。
【図４】本発明の実施形態に係る別のミリ波フェーズドアレイ・ビームアライメント方法のフローチャートである。
【図５ａ】本発明の実施形態に係る別のミリ波フェーズドアレイ・ビームアライメント方法のフローチャートである。
【図５ｂ】本発明の実施形態に係る、粗定位による検索の概略図である。
【図６】本発明の実施形態に係る別のミリ波フェーズドアレイ・ビームアライメント方法のフローチャートである。
【図７】本発明の実施形態に係る別のミリ波フェーズドアレイ・ビームアライメント方法のフローチャートである。
【図８】本発明の実施形態に係る別のミリ波フェーズドアレイ・ビームアライメント方法のフローチャートである。
【図９】本発明の実施形態に係る通信装置の概略構造図である。
【図１０】本発明の実施形態に係る別の通信装置の概略構造図である。
【図１１】本発明の実施形態に係る別の通信装置の概略構造図である。
【図１２】本発明の実施形態に係る別の通信装置の概略構造図である。
【図１３】本発明の実施形態に係る別の通信装置の概略構造図である。
【図１４】本発明の実施形態に係る別の通信装置の概略構造図である。
【手続補正５】
【補正対象書類名】明細書
【補正対象項目名】０１４１
【補正方法】変更
【補正の内容】
【０１４１】
前述の実施形態は、第１の装置を実行主体として説明されている。以下、第２の装置を実行主体として説明する。
【国際調査報告】
2016507980.tif 000023
2016507980.tif 000024
2016507980.tif 000025
2016507980.tif 000026